(57)【要約】  電気的に調整可能な光学系を実現するための材料として液晶（ＬＣ）を採用した可撓性の光学素子が、折り畳み可能である。当該可撓性の要素を製造する方法は、パターン化された光重合を含む。ＬＣ光学系は、偏光子なしでの性能のための直交配向ＬＣディレクタを有する一対のＬＣ層と、可撓性のポリマー配向層と、可撓性の基板と、電界を制御するためのモジュールと、を備え得る。ＬＣ光学系のレンズ屈折力は、光学ゾーン全体の電界分布を制御することで変更され得る。レンズ屈折力の制御が、電極の形態、駆動信号、及び、配向層内のアンカリング強度、の組合せを用いて提供され得る。
2021531515.tif 000002
【特許請求の範囲】
【請求項１】
電気的に調整可能なレンズであって、
第１配向層及び第２配向層と、
当該レンズの光路内において前記第１及び第２配向層間に閉じ込められた液晶を有する活性層と、
前記第１配向層の上方に配置され、前記活性層の開口領域の上方に配置された第１パターン開口を有する第１電極と、
前記第２配向層の下方に配置され、前記第１電極との組合せで前記活性層内に電界を誘発するように配置された第２パターン開口を有する第２電極と、
を備えたことを特徴とする電気的に調整可能なレンズ。
【請求項２】
前記第１及び第２パターン開口は、円形を有している
ことを特徴とする請求項１に記載の電気的に調整可能なレンズ。
【請求項３】
前記第１及び第２パターン開口は、共通の半径の円形を有している
ことを特徴とする請求項１に記載の電気的に調整可能なレンズ。
【請求項４】
前記第１配向層の上方に配置された第１抵抗層と、
前記第２配向層の下方に配置された第２抵抗層と、
を更に備えたことを特徴とする請求項１に記載の電気的に調整可能なレンズ。
【請求項５】
前記第１配向層と前記第２配向層との間の前記活性層内の弾性ポリマーポストのアレイ
を更に備え、
当該アレイのポストは、前記第１配向層から前記第２配向層まで延びている
ことを特徴とする請求項１に記載の電気的に調整可能なレンズ。
【請求項６】
前記第１配向層及び前記第２配向層の少なくとも１つが、液晶部分を有するポリマー層を含む
ことを特徴とする請求項１に記載の電気的に調整可能なレンズ。
【請求項７】
前記第１配向層と前記第２配向層との間の第３配向層と、
前記第３配向層と前記第２配向層との間に閉じ込められた液晶を有する第２活性層と、
を更に備えたことを特徴とする請求項１に記載の電気的に調整可能なレンズ。
【請求項８】
前記第１及び第２活性層間に配置されたパッド電極
を更に備えたことを特徴とする請求項７に記載の電気的に調整可能なレンズ。
【請求項９】
前記活性層は、１０ｍｍ未満の折り畳み半径で曲げる前の平均厚さＸと、当該曲げから戻った後の平均厚さＹと、を有し、
Ｙ＝Ｘ±１０％Ｘ
である
ことを特徴とする請求項１に記載の電気的に調整可能なレンズ。
【請求項１０】
前記第１及び第２電極に電気的に接続され、当該第１及び第２電極を亘るように調整可能デューティサイクルを有する駆動信号を適用するように構成されたドライバ
を更に備えたことを特徴とする請求項１に記載の電気的に調整可能なレンズ。
【請求項１１】
前記第１及び第２電極に電気的に接続され、当該第１及び第２電極を亘るようにパルス幅変調を用いて駆動信号を適用するように構成されたドライバ
を更に備えたことを特徴とする請求項１に記載の電気的に調整可能なレンズ。
【請求項１２】
前記第１及び第２電極に電気的に接続され、当該第１及び第２電極を亘るようにＤＣオフセットを有する駆動信号を適用するように構成されたドライバ
を更に備えたことを特徴とする請求項１に記載の電気的に調整可能なレンズ。
【請求項１３】
前記第１及び第２電極に電気的に接続され、当該第１及び第２電極を亘るように初期のより高いフィールドパワーインターバルと後続のより低いフィールドパワーインターバルとを有する駆動信号を適用するように構成されたドライバ
を更に備え、
前記より低いフィールドパワーは、前記より低いフィールドパワーインターバル中に目標のレンズ屈折力を確立するように構成されている
ことを特徴とする請求項１に記載の電気的に調整可能なレンズ。
【請求項１４】
前記第１及び第２配向層の少なくとも１つが、１０―4Ｊ／ｍ2より大きいアンカリング強度を有する
ことを特徴とする請求項１に記載の電気的に調整可能なレンズ。
【請求項１５】
前記第１及び第２配向層の少なくとも１つが、液晶部分を有すると共に１０―4Ｊ／ｍ2より大きいアンカリング強度を有するポリマー層を含む
ことを特徴とする請求項１に記載の電気的に調整可能なレンズ。
【請求項１６】
電気的に調整可能なレンズであって、
第１配向層及び第２配向層と、
当該レンズの光路内において前記第１及び第２配向層間に閉じ込められた液晶を有する活性層と、
前記第１配向層の上方に配置された第１電極と、
前記第２配向層の下方に配置された第２電極と、
前記第１及び第２電極に電気的に接続され、当該第１及び第２電極を亘るように調整可能デューティサイクルを有する駆動信号を適用するように構成されたドライバと、
を備えたことを特徴とする電気的に調整可能なレンズ。
【請求項１７】
前記第１及び第２配向層の少なくとも１つが、１０―4Ｊ／ｍ2より大きいアンカリング強度を有する
ことを特徴とする請求項１６に記載の電気的に調整可能なレンズ。
【請求項１８】
電気的に調整可能なレンズであって、
第１配向層及び第２配向層と、
当該レンズの光路内において前記第１及び第２配向層間に閉じ込められた液晶を有する活性層と、
前記第１配向層の上方に配置された第１電極と、
前記第２配向層の下方に配置された第２電極と、
前記第１及び第２電極に電気的に接続され、当該第１及び第２電極を亘るようにＤＣオフセットを有する駆動信号を適用するように構成されたドライバと、
を備えたことを特徴とする電気的に調整可能なレンズ。
【請求項１９】
前記第１及び第２配向層の少なくとも１つが、１０―4Ｊ／ｍ2より大きいアンカリング強度を有する
ことを特徴とする請求項１８に記載の電気的に調整可能なレンズ。
【請求項２０】
電気的に調整可能なレンズであって、
第１配向層及び第２配向層と、
当該レンズの光路内において前記第１及び第２配向層間に閉じ込められた液晶を有する活性層と、
前記第１配向層の上方に配置された第１電極と、
前記第２配向層の下方に配置された第２電極と、
前記第１及び第２電極に電気的に接続され、当該第１及び第２電極を亘るように初期のより高いフィールドパワーインターバルと後続のより低いフィールドパワーインターバルとを有する駆動信号を適用するように構成されたドライバと、
備え、
前記より低いフィールドパワーは、前記より低いフィールドパワーインターバル中に目標のレンズ屈折力を確立するように構成されている
ことを特徴とする電気的に調整可能なレンズ。
【請求項２１】
前記第１及び第２配向層の少なくとも１つが、１０―4Ｊ／ｍ2より大きいアンカリング強度を有する
ことを特徴とする請求項２０に記載の電気的に調整可能なレンズ。
【請求項２２】
電気的に調整可能なレンズであって、
第１配向層及び第２配向層と、
当該レンズの光路内において前記第１及び第２配向層間に閉じ込められた液晶を有する活性層と、
前記第１配向層の上方に配置された第１電極と、
前記第２配向層の下方に配置された第２電極と、
前記第１及び第２電極に電気的に接続され、当該第１及び第２電極を亘るようにパルス幅変調を用いて駆動信号を適用するように構成されたドライバと、
を備えたことを特徴とする電気的に調整可能なレンズ。
【請求項２３】
前記第１及び第２配向層の少なくとも１つが、１０―4Ｊ／ｍ2より大きいアンカリング強度を有する
ことを特徴とする請求項２２に記載の電気的に調整可能なレンズ。
【請求項２４】
電気的に調整可能なレンズであって、
第１配向層、第２配向層、第３配向層及び第４配向層と、
当該レンズの光路内において前記第１及び第２配向層間に閉じ込められた液晶を有する第１活性層と、
当該レンズの前記光路内において前記第３及び第４配向層間に閉じ込められた液晶を有する第２活性層と、
前記第１配向層の上方に配置され、前記第１活性層の開口領域と整列して配置された第１パターン開口を有する第１電極と、
前記第４配向層の下方に配置され、前記第２活性層の開口領域と整列して配置された第２パターン開口を有する第２電極と、
前記第１及び第２活性層間に配置されたパッド電極と、
前記第１及び第２電極に電気的に接続され、前記第１電極に第１駆動信号を適用し前記第２電極に第２駆動信号を適用するように構成され、前記パッド電極との組合せで前記第１及び第２活性層内に電界を誘発するように配置されたドライバと、
を備えたことを特徴とする電気的に調整可能なレンズ。
【請求項２５】
前記第１及び第２パターン開口は、円形を有している
ことを特徴とする請求項２４に記載の電気的に調整可能なレンズ。
【請求項２６】
前記第１及び第２パターン開口は、共通の半径の円形を有している
ことを特徴とする請求項２４に記載の電気的に調整可能なレンズ。
【請求項２７】
前記第１配向層の上方に配置された第１抵抗層と、
前記第４配向層の下方に配置された第２抵抗層と、
を更に備えたことを特徴とする請求項２４に記載の電気的に調整可能なレンズ。
【請求項２８】
前記第１配向層と前記第２配向層との間の前記第１活性層内の弾性ポリマーポストの第１アレイを更に備え、当該アレイのポストは、前記第１配向層から前記第２配向層まで延びており、
前記第３配向層と前記第４配向層との間の前記第２活性層内の弾性ポリマーポストの第２アレイを更に備え、当該アレイのポストは、前記第３配向層から前記第４配向層まで延びている
ことを特徴とする請求項２４に記載の電気的に調整可能なレンズ。
【請求項２９】
前記第１配向層及び前記第４配向層の少なくとも１つが、液晶部分を有するポリマー層を含む
ことを特徴とする請求項２４に記載の電気的に調整可能なレンズ。
【請求項３０】
前記第１活性層は、１０ｍｍ未満の折り畳み半径で曲げる前の平均厚さＸと、当該曲げから戻った後の平均厚さＹと、を有し、
Ｙ＝Ｘ±１０％Ｘ
である
ことを特徴とする請求項２４に記載の電気的に調整可能なレンズ。
【請求項３１】
前記第１及び第２駆動信号は、ＤＣオフセット、周波数、デューティサイクル及び大きさの少なくとも１つにおいて異なっている
ことを特徴とする請求項２４に記載の電気的に調整可能なレンズ。
【請求項３２】
前記ドライバは、パルス幅変調を用いて前記第１及び第２駆動信号を提供するように構成されている
ことを特徴とする請求項２４に記載の電気的に調整可能なレンズ。
【請求項３３】
前記第１駆動信号及び前記第２駆動信号の少なくとも１つは、初期のより高いフィールドパワーインターバルと後続のより低いフィールドパワーインターバルとを含んでおり、
前記より低いフィールドパワーは、前記より低いフィールドパワーインターバル中に目標のレンズ屈折力を確立するように構成されている
ことを特徴とする請求項２４に記載の電気的に調整可能なレンズ。
【請求項３４】
前記第１、第２、第３及び第４配向層の少なくとも１つが、１０―4Ｊ／ｍ2より大きいアンカリング強度を有する
ことを特徴とする請求項２４に記載の電気的に調整可能なレンズ。
【請求項３５】
前記第１、第２、第３及び第４配向層の少なくとも１つが、液晶部分を有すると共に１０―4Ｊ／ｍ2より大きいアンカリング強度を有するポリマー層を含む
ことを特徴とする請求項２４に記載の電気的に調整可能なレンズ。
【発明の詳細な説明】
【技術分野】
【０００１】
本発明は、電気活性光学系、及び、そのような光学系を使用するレンズ、に関し、特に、可撓性の液晶セル及びレンズに関している。
【背景技術】
【０００２】
ソフトコンタクトレンズは、コンタクトレンズ着用者によって取り扱われるため、変形に曝されている。場合によっては、２ミリメートル程度の短い折曲半径で、レンズは半分に折り畳まれ得る。このため、ソフトコンタクトレンズは、合理的な使用可能寿命に亘って、損傷無しでこのような変形に耐えるのに十分な柔軟性を備えている必要がある。また、レンズは、そのサイズ及び形状を回復でき、変形から回復した後にレンズの光学特性を保持できる、という意味で弾性的であることが望まれている。ハイドロゲルコンタクトレンズやシリコーンハイドロゲルコンタクトレンズを含む多くのポリマーが、柔軟性と弾性とを考慮して開発されている。
【０００３】
電気活性レンズでは、液晶セルなどの電気活性部品が、可撓性で（柔軟で）弾性のあるポリマーでできたレンズ本体に埋め込まれ得る。ここで、電気活性部品は、全体として、レンズ本体の可撓性及び弾性の両方を制限してしまう可能性がある。
【０００４】
可撓性と弾性の両方を有する電気活性成分をレンズに提供することが望ましい。
【発明の概要】
【０００５】
電気的に調整可能なレンズであって、第１配向層及び第２配向層と、当該レンズの光路内において前記第１及び第２配向層間に閉じ込められた液晶を有する活性層と、を備えた電気的に調整可能なレンズが説明される。第１電極が、前記第１配向層の上方に配置され、前記活性層の開口領域の上方に配置された例えば円形孔である第１パターン開口を有する、という実施形態が説明される。また、第２電極が、前記第２配向層の下方に配置され、前記第１電極との組合せで前記活性層内に電界を誘発するように配置された第２パターン開口を有する。前記第１及び第２パターン開口は、形状において円形であり得る。幾つかの実施形態では、前記第１及び第２パターン開口は、共通の半径の円形を有する。幾つかの実施形態では、前記第１及び第２パターン開口は、異なる半径の円形を有する。
【０００６】
パターン開口を有する第１及び第２電極を含む実施形態の可撓性または弾性のあるバージョンにおいて、及び、本明細書に開示される他の実施形態において、弾性ポリマーポストのアレイが、活性層内に配置され、曲げ及びその元の形状への復帰の後で当該活性層の厚さを維持するように構成されている。
【０００７】
本明細書に説明される電気的に調整可能なレンズの実施形態は、前記活性層を通る電気力線の分散（ばらつき）を改善するべく、前記第１配向層の上方と、前記第２配向層の下方と、に配置された複数の抵抗層を有し得る。
【０００８】
前記第１及び第２配向層の一方または両方が、液晶部分を有するポリマー層を含み得る。
【０００９】
幾つかの実施形態では、第３配向層が、前記第１及び第２配向層の間に配置され、液晶を有する第２活性層が、前記第３配向層と前記第２配向層との間に閉じ込められる。パッド電極が、前記第１及び第２活性層間に配置され得る。
【００１０】
パターン開口を有する第１及び第２電極を含む実施形態において、及び、本明細書に開示される他の実施形態において、ドライバが、前記第１及び第２電極に電気的に接続され得る。当該ドライバは、当該第１及び第２電極を亘るように駆動信号を適用するように構成され得る。様々な実施形態において、ドライバは、調整可能デューティサイクルを有する駆動信号を適用し得る。ドライバは、パルス幅変調を用いて駆動信号を適用し得る。ドライバは、ＤＣオフセットを有する駆動信号を適用し得る。
【００１１】
幾つかの実施形態では、ドライバは、初期のより高いフィールドパワーインターバルと後続のより低いフィールドパワーインターバルとを有する駆動信号を適用し得て、前記より低いフィールドパワーインターバルは、当該より低いフィールドパワーインターバル中に目標のレンズ屈折力を確立するように構成され得る。初期のより高いフィールドパワーインターバルと後続のより低いフィールドパワーインターバルとの組合せは、特にレンズのアパーチャ領域のエッジの近傍において、活性層内の液晶部分の回位を低減し得る。
【００１２】
本明細書に説明される実施形態では、前記第１及び第２配向層の少なくとも１つが、１０―4Ｊ／ｍ2より大きいアンカリング強度を有する。説明される実施形態では、配向層が、液晶部分を有すると共に１０―4Ｊ／ｍ2より大きいアンカリング強度を有するポリマー層を含む。このタイプのポリマー層は、可撓性を有し得て、且つ、弾性を有し得る。
【００１３】
また、電気的に調整可能なレンズであって、第１配向層、第２配向層、第３配向層及び第４配向層と、前記第１及び第２配向層間に液晶を有する第１活性層と、前記第３及び第４配向層間に液晶を有する第２活性層と、を備えた電気的に調整可能なレンズが説明される。第１電極が、前記第１配向層の上方に配置され、前記第１活性層の開口と整列して配置された第１パターン開口を有する。第２電極が、前記第４配向層の下方に配置され、前記第２活性層の開口と整列して配置された第２パターン開口を有する。パッド電極が、前記第１及び第２活性層間に配置されている。ドライバが、前記第１及び第２電極に、並びに、前記パッド電極に、電気的に接続されている。前記ドライバは、前記第１電極に第１駆動信号を適用し、前記第２電極に第２駆動信号を適用するように構成されている。前記パッド電極は、例えばグランドのような基準電位に維持され得る、あるいは、前記第１及び第２駆動信号の生成に利用され得る。前記駆動信号は、前記パッド電極との組合せで、前記第１及び第２活性層内に電界を誘発するように構成され、レンズの光学的屈折力を調整する。前述の特徴の多くが、パターン開口を有する外側の複数の電極と中間のパッド電極とを伴って、当該タイプの２つの活性層を有する電気的に調整可能なレンズに適用され得る。
【００１４】
また、弾性または可撓性のある電気的に調整可能な液晶レンズが説明される。液晶レンズは、セルギャップ厚さを有するセルを備えており、セルギャップ厚さは、液晶レンズが折り畳まれて元の形状に戻った後、実質的に保持される。従って、液晶レンズの形状と光学特性は、折り畳んだ後に回復可能である。
【００１５】
説明される実施形態は、ポリマー配向層間のギャップ内に液晶を含む電気活性セルを含み、当該ポリマー配向層間のギャップ内にポリマーポストのアレイが配置されている。
【００１６】
本明細書に記載される例では、１または複数の配向層が、埋め込まれた液晶部分を含む可撓性のポリマー材料を含む。
【００１７】
本明細書で説明される電気的に調整可能なレンズの幾つかの例は、第１配向層及び第２配向層と、前記第１配向層及び前記第２配向層の間のギャップ内の弾性ポリマーポストのアレイと、前記第１配向層及び前記第２配向層の間の前記ギャップ内であって前記アレイのポストの周囲に閉じ込められた液晶と、前記液晶に電界を誘発するように配置された１または複数の電極と、を備え、前記アレイのポストは、前記第１配向層から前記第２配向層まで延びている。
【００１８】
偏光に依存しない例は、第３配向層と、前記第２配向層及び前記第３配向層の間の第２ギャップ内のエラストマーポストの第２アレイと、を備え、前記第２アレイのポストは、前記第２配向層から前記第３配向層まで延びている。また、液晶が、前記第２ギャップ内であって前記第２アレイのポストの周囲に閉じ込められている。当該例の前記第２配向層は、前記ギャップに隣接する第１面の近くで光路に直交するように平行に配向されたディレクタと、前記第２ギャップに隣接する第２面の近くで前記光路に直交すると共に前記第１面の近くの前記ディレクタに直交するように配向されたディレクタと、を有する液晶部分を含み得る。
【００１９】
可撓性の液晶セルを製造する方法が説明される。当該方法は、パターンに従う光重合によって液晶層内にポリマーポストを形成する工程を含む。本明細書で説明される一実施形態では、当該方法は、第１可撓性配向層と第２可撓性配向層との間にギャップを設けて両者を組み立てる工程と、前記第１可撓性配向層と前記第２可撓性配向層との間の前記ギャップを横切って延びる可撓性または弾性ポリマーポストを形成する工程と、前記ポストを囲むように前記ギャップ内に液晶材料を提供する工程と、を備える。本明細書で説明される実施形態では、当該方法は、ギャップ内に液晶材料とポリマー前駆体材料との組合せを提供する工程と、パターンに従ってポリマー前駆体及び液晶の相分離を誘発してポリマー前駆体を重合化することにより弾性ポストを形成する工程と、を備える。
【００２０】
デバイス及び方法への様々な組合せ及び追加について、以下に説明される。
【００２１】
本発明の他の態様及び利点が、以下の図面、詳細な説明及び特許請求の範囲を参照することにより、理解され得る。
【図面の簡単な説明】
【００２２】
【図１】図１は、本明細書に記載されたような電気活性セルを備えた可撓性レンズの折り畳みを示す簡略図である。
【００２３】
【図２】図２は、単一の液晶層を有する可撓性の液晶電気活性セルを示している。
【００２４】
【図３Ａ】図３Ａ、図３Ｂ、図３Ｃ及び図３Ｄは、２つの液晶層を有する偏光独立型の可撓性の液晶電気活性セルの代替実施形態を示している。
【図３Ｂ】図３Ａ、図３Ｂ、図３Ｃ及び図３Ｄは、２つの液晶層を有する偏光独立型の可撓性の液晶電気活性セルの代替実施形態を示している。
【図３Ｃ】図３Ａ、図３Ｂ、図３Ｃ及び図３Ｄは、２つの液晶層を有する偏光独立型の可撓性の液晶電気活性セルの代替実施形態を示している。
【図３Ｄ】図３Ａ、図３Ｂ、図３Ｃ及び図３Ｄは、２つの液晶層を有する偏光独立型の可撓性の液晶電気活性セルの代替実施形態を示している。
【００２５】
【図４ａ】図４（ａ）、図４（ｂ）、図４（ｃ）、図４（ｄ）、図４（ｅ）及び図４（ｆ）は、可撓性の電気活性セルの製造プロセスの段階を示している。
【図４ｂ】図４（ａ）、図４（ｂ）、図４（ｃ）、図４（ｄ）、図４（ｅ）及び図４（ｆ）は、可撓性の電気活性セルの製造プロセスの段階を示している。
【図４ｃ】図４（ａ）、図４（ｂ）、図４（ｃ）、図４（ｄ）、図４（ｅ）及び図４（ｆ）は、可撓性の電気活性セルの製造プロセスの段階を示している。
【図４ｄ】図４（ａ）、図４（ｂ）、図４（ｃ）、図４（ｄ）、図４（ｅ）及び図４（ｆ）は、可撓性の電気活性セルの製造プロセスの段階を示している。
【図４ｅ】図４（ａ）、図４（ｂ）、図４（ｃ）、図４（ｄ）、図４（ｅ）及び図４（ｆ）は、可撓性の電気活性セルの製造プロセスの段階を示している。
【図４ｆ】図４（ａ）、図４（ｂ）、図４（ｃ）、図４（ｄ）、図４（ｅ）及び図４（ｆ）は、可撓性の電気活性セルの製造プロセスの段階を示している。
【００２６】
【図５】図５は、図４（ａ）、図４（ｂ）、図４（ｃ）、図４（ｄ）、図４（ｅ）及び図４（ｆ）のようなプロセスで使用されるリソグラフィマスクの例示的なレイアウトを示している。
【００２７】
【図６ａ】図６（ａ）、図６（ｂ）、図６（ｃ）、図６（ｄ）、図６（ｅ）及び図６（ｆ）は、図２、図３Ａ、図３Ｂ、図３Ｃ及び図３Ｄの構造で使用されるようなポリマー層の製造の段階を示している。
【図６ｂ】図６（ａ）、図６（ｂ）、図６（ｃ）、図６（ｄ）、図６（ｅ）及び図６（ｆ）は、図２、図３Ａ、図３Ｂ、図３Ｃ及び図３Ｄの構造で使用されるようなポリマー層の製造の段階を示している。
【図６ｃ】図６（ａ）、図６（ｂ）、図６（ｃ）、図６（ｄ）、図６（ｅ）及び図６（ｆ）は、図２、図３Ａ、図３Ｂ、図３Ｃ及び図３Ｄの構造で使用されるようなポリマー層の製造の段階を示している。
【図６ｄ】図６（ａ）、図６（ｂ）、図６（ｃ）、図６（ｄ）、図６（ｅ）及び図６（ｆ）は、図２、図３Ａ、図３Ｂ、図３Ｃ及び図３Ｄの構造で使用されるようなポリマー層の製造の段階を示している。
【図６ｅ】図６（ａ）、図６（ｂ）、図６（ｃ）、図６（ｄ）、図６（ｅ）及び図６（ｆ）は、図２、図３Ａ、図３Ｂ、図３Ｃ及び図３Ｄの構造で使用されるようなポリマー層の製造の段階を示している。
【図６ｆ】図６（ａ）、図６（ｂ）、図６（ｃ）、図６（ｄ）、図６（ｅ）及び図６（ｆ）は、図２、図３Ａ、図３Ｂ、図３Ｃ及び図３Ｄの構造で使用されるようなポリマー層の製造の段階を示している。
【００２８】
【図７】図７は、湾曲した可撓性の液晶電気活性セルの一例を示している。
【００２９】
【図８】図８は、２層の液晶を有する、湾曲した可撓性の液晶電気活性セルの一例を示している。
【００３０】
【図９】図９は、液晶層内にハイブリッド配向を有する、２層液晶セルの一例を示している。
【００３１】
【図１０】図１０は、代替的な電極位置を有し、液晶層内にハイブリッド配向を有する、２層液晶セルの一例を示している。
【００３２】
【図１１】図１１は、湾曲された誘電体層を有する、２層液晶セルの一例を示している。
【００３３】
【図１２】図１２は、液晶層内にハイブリッド配向を有し、湾曲された誘電体層を有する、２層液晶セルの別の一例を示している。
【００３４】
【図１３】図１３は、液晶ポリマーフィルム内にレンズ度数を有する、２層液晶セルの一例を示している。
【００３５】
【図１４】図１４は、図３Ｄの２層液晶セルのような、但し上下の電極の両方がパターン開口を有するように変更された、２層液晶セルの一例を示している。
【００３６】
【図１５】図１５は、中間パッド電極を備え、第１及び第２の外側電極がパターン開口を有する、２層液晶セルの一例を示している。
【００３７】
【図１６】図１６は、図１５の２層液晶セルのような、但し平坦ではなくて湾曲された、２層液晶セルの一例を示している。
【００３８】
【図１７】図１７は、活性層内にＤＣオフセットを誘発するように構成されたデューティサイクルを有する、液晶セル用の駆動信号を示すグラフである。
【００３９】
【図１８】図１８は、駆動信号内にＤＣオフセットを有する、液晶セル用の駆動信号を示すグラフである。
【００４０】
【図１９】図１９は、非バイアス状態での、穴パターン上部電極とパッド電極との間に配置された液晶成分を有する活性層の簡略図である。
【００４１】
【図２０】図２０は、比較的高いフィールドパワーを有する初期適用駆動信号が、液晶部分の鉛直配向を誘発している状態での、図１９の構成の簡略図である。
【００４２】
【図２１】図２１は、図２０よりも比較的低いフィールドパワーを有する後続適用駆動信号が、好適なレンズ屈折力を確立するように設定された状態での、図１９の構成の簡略図である。
【００４３】
【図２２】図２２は、図２０及び図２１を参照して説明されたような、初期のより高いフィールドパワーインターバルと後続のより低いフィールドパワーインターバルとを有する駆動信号を示すグラフである。
【発明を実施するための形態】
【００４４】
本発明の実施形態の詳細な説明が、図１乃至図２２を参照して提供される。
【００４５】
図１は、電気活性セル１１が埋め込まれたレンズ１０を示している。レンズ１０は、可撓性であり、例えばハイドロゲル材料またはシリコーンハイドロゲル材料を含み得る。電気活性セル１１は、電気活性材料と、レンズの屈折力を変化させるために使用される少なくとも１つの電子部品と、を含む。図１に示すように、レンズ１０は、使用者によって取り扱われるため、可撓性の（柔軟な）材料で作られている場合、折り畳まれ得る。例えば、レンズ１０がコンタクトレンズである場合、使用者はレンズを眼に挿入したり眼から取り外したりする時、レンズを折り畳み得る。図１の下部に図示されるようにレンズが折り畳まれる時、特に領域１２において、折り畳みの半径Ｒは非常に小さい場合がある。例えば、レンズは、１〜９ｍｍ程度の折り曲げ半径で、折り畳まれ得る。レンズが折り畳まれる時、電気活性セル１１が変形され得る。
【００４６】
本明細書に記載された実施形態では、電気活性セルは、折り畳まれた後、元の形状に戻される時に、その形状及びその調整可能な光学特性を回復するという意味で、弾性的である。
【００４７】
図２は、前述の意味で弾性を有する可撓性の単一層の液晶セルを示している。当該液晶セルは、上部（第１）ポリマー層２４と下部（第２）ポリマー層２７との間のギャップ内に配置された液晶層２５（液晶を有する活性層）を含み、ポリマー層２４、２７は、液晶層２５のための配向層として機能するように構成された液晶部分（ｌｉｑｕｉｄ  ｃｒｙｓｔａｌ  ｍｏｉｅｔｉｅｓ）と混合された可撓性ないし弾性のポリマーを含む。ポリマー層２４、２７は、層の中央領域に垂直ディレクタを有して表面に水平ディレクタを有する液晶部分を含む。この例の上部ポリマー層２４では、（両方の）表面近くのディレクタは、光軸であり得るｚ軸５に直交しており、且つ、液晶層２５の主表面に対して水平であって、図の紙面に対して出入りするように延びている。この例の下部ポリマー層２７では、対向する（両方の）表面近くのディレクタは、液晶層２５の主表面に対して水平であって、図の紙面に対して出入りするように延びている。この例のディレクタの配向は、液晶層２５の上面及び下面の配向方向が互いに平行である、という状態に帰結している。
【００４８】
この例では、液晶層２５は、少なくとも液晶セルの有効開口に亘って、ポリマー層２４、２７間で均一な厚さＴを有する。この説明の目的のためには、名目上均一な厚さを有するセルに期待される範囲内に光学性能がある、とセルの使用者が知覚する時、液晶層はセルの有効開口に亘って均一な厚さを有している（と言える）。範囲は、環境、製造及び材料の変動に左右される商業的製造環境で生じ得る。
【００４９】
ポスト（例えばポスト２６）のアレイ（配列）が、ポリマー層２４、２７間のギャップ内で、液晶層の内部に、配置される。アレイ状のポストは、上部ポリマー層２４から下部ポリマー層２７まで延び、厚さＴを維持するのに役立っている。ポスト（例えばポスト２６）は、ポリマーまたはポリマー材料を含むことができる。好ましくは、ポストは弾性である。また、好ましくは、ポリマー層は弾性ポリマーまたはエラストマーを含む。
【００５０】
液晶材料は、ポストのアレイ内のポストの周囲の第１ポリマー層と第２ポリマー層との間のギャップ内に閉じ込められ、セルのアクティブ要素として機能し、印加される電界に応じてセルの光学特性を変化させる。
【００５１】
この例では、液晶層２５に電界を印加するために使用される電気コンポーネントは、誘電性ポリマー（この例では層２０、２２、２９を含む）内に配置されている。電気コンポーネントは、抵抗層２３、上部ポリマー層２４の上方の円形孔パターン電極層２１、及び、下部ポリマー層２７の下方の透明パッド電極層２８、を含んでいる。この実施形態及び本明細書に記載の他の実施形態において、パターン化された電極層は、液晶層内の電界ベクトルの形状のより複雑な制御のために、円形孔以外のパターンを有することができ、ピクセル化パターン及びリング状パターンを含むことができる。
【００５２】
代表的な一実施形態では、液晶セルの基板は、それぞれ約１７μｍの厚さのポリジメチルシロキサン（ＰＤＭＳ）を含む誘電体層２０、２２を含む。同様に、誘電体層２９は、約１７μｍ以下の厚さのＰＤＭＳを含む。パターン電極層２１及びパッド電極層２８は、約１μｍ以下の厚さの可撓性の電極材料を含み得る。液晶層２５は、約３０〜４０μｍの厚さ、例えば約３４μｍの厚さ、であり得る。上部及び下部ポリマー層は、約６〜７μｍの厚さであり得る。この例では、セルは、約９８μｍの合計厚さを有している。
【００５３】
更なる実施形態では、液晶セルの基板は、ＰＤＭＳを含む誘電体層２０、２２を含み、各誘電体層は、１５μｍ〜２０μｍの厚さを有する。同様に、誘電体層２９は、ＰＤＭＳを含むことができ、１５μｍ〜２０μｍの厚さを有し得る。パターン電極層２１及びパッド電極層２８は、０．１μｍ〜１μｍの厚さを有する可撓性電極材料を含み得る。液晶層２５は、２５μｍ〜４５μｍの厚さであり得る。上部及び下部ポリマー層は、各々、５μｍ〜１０μｍの厚さを有し得る。
【００５４】
代表的な一実施形態では、液晶層２５の厚さＴは、約３４μｍである。
【００５５】
幾つかの実施形態では、厚さＴは、液晶層２５の光学ゾーン全体に亘って、一定の厚さであり、当該光学ゾーンとは、調整可能なレンズ効果が利用される有効開口である。
【００５６】
この例のセルの均一な厚さとは、光学素子の中心から有効開口の端まで１．２ミクロン未満で変化する厚さであり得る。幾つかの実施形態では、有効開口内の厚さＴの変動は、０．５ミクロン以内に維持され得る。
【００５７】
本明細書に記載された液晶セルの実施形態は、小さな半径で折り畳まれ、元の形状に戻った後でも、光学特性を維持することができる。例えば、折り畳み前の液晶層が約１０μｍの元の平均厚さＴを有するセルギャップを含む実施形態では、平均厚さＴは、その元の厚さの±１０％以内、すなわち、９〜１１μｍの範囲の平均厚さ、に戻り得る。他の実施形態では、平均厚さＴは、その元の厚さの±２％以内、すなわち、９．８〜１０．２μｍの範囲の平均厚さ、に戻り得る。セルギャップまたは液晶層の平均厚さは、複数の場所で厚さを測定し、それらの測定値を加算して測定回数で除算することによって決定され得る。測定は、液晶層の単一の直径に沿って行われ得て（円形の場合）、あるいは、液晶層のランダムなポイントに沿って行われ得る。
【００５８】
特定の実装の要件に依存して、液晶層の基板として機能する可撓性の誘電体層２０、２２、２９の材料は、ＰＤＭＳ含有材料、ＰＥＴ（ポリエチレンテレフタレート）含有材料及びハイドロキシエチルメタクリレート（ＨＥＭＡ）含有材料を含む、レンズ内での使用に適した様々なポリマー、エラストマー及びそれらの組合せから選択され得る。
【００５９】
特定の実装の要件に依存して、パターン電極層２１及び透明パッド電極層２８に使用可能な代表的な材料は、ポリ（３，４−エチレンジオキシチオフェン）ポリスチレンスルホン酸（ＰＥＤＯＴ：ＰＳＳ）、酸化インジウムスズ（ＩＴＯ）、酸化インジウム亜鉛（ＩＺＯ）、グラフェン、銀ナノワイヤ、銅金属メッシュ、及び、これら材料の組合せ、であり得る。
【００６０】
抵抗層２３の機能は、レンズの有効開口の中心に電界を分布させるのを助けることである。抵抗層２３は、電極と比較して、比較的高い抵抗を有しており、高抵抗層と呼ばれ得る。抵抗層２３により、幾つかの例では、動作電圧が低減され得る。抵抗層のシート抵抗は、レンズ材料及び仕様に依存するが、約１０6〜１０8Ω／ｓｑであり得る。抵抗層は、ＰＥＤＯＴ：ＰＳＳ溶液とＰＶＡ（ポリビニルアルコール）溶液を混合することで作成され得る。シート抵抗は、例えば２つの溶液間の重量比によって制御され得る。
【００６１】
液晶（ＬＣ）は、複屈折特性を有する光学異方性材料である。普通にＬＣ光学系に入射する直線偏光を考える。偏光方向とＬＣ分子の長軸とは、同じ平面内にあるとする。光は、当該光の偏光方向とＬＣのディレクタとの間の角度によって決定される有効屈折率を経験する。更に、ＬＣ分子の配向は、外部電界によって制御され得る。従って、均一な厚さを有するＬＣ層上の不均一な電界は、ＬＣ分子の配向の空間分布をもたらす。ＬＣ分子の配向の空間分布は、また、有効な光路の空間分布を形成する。適切な設計により、有効な光路の空間分布が、異なるレンズ度数を伴うレンズ効果を実現し得る。
【００６２】
ＬＣは、偏光依存型であり得て、偏光子と組合せて使用される時、光効率の少なくとも５０％のコストがかかり得る。偏光独立型のＬＣ光学系を実現するためには、図３Ａ乃至図３Ｄに示される例で実装されるように、同一厚さであって直交配向ＬＣディレクタを備えた一対のＬＣ層が使用され得る。直交ディレクタを備えた一対のＬＣ層を用いると、光の２つの固有偏光が同じ位相シフトを経験し、偏光に依存しない調整可能なレンズに帰結する。
【００６３】
図３Ａ乃至図３Ｄは、前述の意味で弾性を有する可撓性の２層液晶セルの代替実施形態を示している。これらの代替実施形態は、図２に関して前述された材料を使用して作成され得る。
【００６４】
図３Ａでは、セルは、第１液晶層４５と第２液晶層４８とを含んでいる。第１液晶層４５は、上部（第１）液晶ポリマー層４４と中間（第２）液晶ポリマー層４７との間のギャップ内に配置されている。第２液晶層４８は、中間液晶ポリマー層４７と下部（第３）液晶ポリマー層５０との間のギャップ内に配置されている。
【００６５】
上部ポリマー層４４は、液晶層４５に隣接する下面にディレクタを有しており、それは、液晶層４５の表面に平行で、且つ、図の紙面に直交している。中間ポリマー層４７は、液晶層４５に隣接する上面にディレクタを有しており、それは、液晶層４５の表面に平行で、且つ、図の紙面に直交している（すなわち、上部ポリマー層４４の下面のディレクタに平行である）。中間ポリマー層４７は、液晶層４８に隣接する下面にディレクタを有しており、それは、液晶層４８の表面に平行で、且つ、図の紙面に平行である（すなわち、中間ポリマー層４７の上面のディレクタに直交している）。下部ポリマー層５０は、液晶層４８に隣接する上面にダイレクタを有しており、それは、液晶層４８の表面に平行で、且つ、図の紙面に平行である（すなわち、中間ポリマー層４７の下面のディレクタに平行である）。
【００６６】
ポリマー層４４、４７、５０は、液晶層の配向層として機能する。中間ポリマー層４７は、その上面及び下面に直交ディレクタを有する。幾つかの実施形態では、上側及び下側ポリマー層４４、５０は、ブラシ付きポリイミド層などの他の配向層材料で置き換えられ得る。光学的損失や他の問題のため、中間ポリマー層にブラシ付きポリイミドを使用することは実用的ではない場合がある。従って、好ましい実施形態における液晶層間の整列技術は、その上面及び下面に直交ディレクタを備えた液晶ポリマー層の使用を伴う。
【００６７】
液晶層４５、４８は、ギャップ内に閉じ込められた液晶材料を含み、合理的な製造公差及び光学性能公差の範囲内で、ポリマー層間の同一の厚さを有する。
【００６８】
ポストのアレイ（例えばポスト４６）が、上部ポリマー層４４と中間ポリマー層４７との間のギャップ内に配置され、液晶層４５内で液晶材料に囲まれている。当該アレイのポストは、上部ポリマー層４４から中間ポリマー層４７まで延びており、前述のように厚さを維持するのに役立っている。
【００６９】
ポストの第２アレイ（例えばポスト４９）が、中間ポリマー層４７と下部ポリマー層５０との間のギャップ内に配置されている。ポストの第２アレイは、ギャップ内に閉じ込められた液晶層４８内の液晶材料によって囲まれている。
【００７０】
この例では、電気コンポーネントは、層４０、４３、５２を含む誘電性ポリマー基板内に配置されている。電気コンポーネントは、抵抗層４１、上部ポリマー層４４の上方に配置されたパターン電極層４２、及び、下部ポリマー層５０の下方の透明パッド電極層５１を含む。
【００７１】
図３Ａの液晶セルは、小さな半径で折り畳まれて元の形状に戻った後も、その光学特性を維持できる。
【００７２】
一般に、２層液晶セルは、パターン化された電極を通して電界が印加される時、非偏光の光に対して正のレンズ屈折力（レンズ度数）を提供し得る。液晶層によって追加されるレンズの屈折力は、印加される電界の振幅、周波数、デューティサイクル、ＤＣオフセット、または、パルス形状、の１または複数を変更することで、調整可能である。
【００７３】
図３Ｂ乃至図３Ｄは、図３Ａのような２層液晶セルの代替形態を示している。同じ参照符号は、同様の構成要素を指すために用いられており、幾つかの例において再度説明されない。図３Ｂ乃至図３Ｄの液晶セルも、同様に、小さな半径で折り畳まれ、元の形状に戻った後も、光学特性を維持できる。
【００７４】
図３Ｂに示すように、代替形態では、ポリイミド層が抵抗層と共に使用され得て、その均一性を改善できる。従って、図３Ｂでは、２層液晶セルは、抵抗層４１と接触するポリイミド層６０を追加することによって修正されている。
【００７５】
図３Ｃでは、抵抗層４１と接触するポリイミド層６０を追加し、上部パターン電極層４２を移動させて上部ポリマー層４４の上面と接触させ、図３Ａ及び図３Ｂに示されている誘電体基板の層４３の領域を除去することによって２層液晶セルが修正された実施形態が示されている。これは、必要とされる動作電圧及び可撓性の液晶セルの合計厚さを低減する効果がある。
【００７６】
図３Ｄでは、抵抗層４１を移動させて上部ポリマー層４４の上面と接触させ、誘電体基板の層４３の領域の多くを除去し、図３Ｂ及び図３Ｃのポリイミド層を除去することによって、図３Ａの構造に対して２層液晶セルが修正された実施形態が示されている。これは、更に、構造の全体厚さを低減し、ポリイミド層の要件を除去する。
【００７７】
図２のような可撓性の液晶セルを製造する方法の一実施形態が、図４（ａ）乃至図４（ｆ）に図示されている。
【００７８】
図４（ａ）は、プロセスの最初に示される段階として、空のプロセスセルを示している。空のプロセスセルは、セルの形成中にカバー層として機能する上部及び下部ガラス層８０、８２からなる。当該ガラス層は、基板誘電体材料７０、７２、７９、電極材料７１、７８、抵抗層７３、及び、この例では前述のポリマー層７４、７７である配向層、で被覆されている。上部電極材料７１は、前述のように可変の電界を誘発して調整可能なレンズ屈折力を提供するために使用される穴を画定するようにパターン化されている。下部電極材料７８は、パッド形状で配置されている。マイラーフィルムスペーサ７５が、上部ポリマー層７４と下部ポリマー層７７との間に配置され、液晶層及びポストのアレイが形成されるギャップ７６を画定している。この例では、マイラーフィルムスペーサ７５は、３５μｍのギャップ厚を規定する。
【００７９】
図４（ｂ）に示されるように、製造の次の段階では、例えば毛細管力に依存して、液晶材料とポリマー前駆体との組合せがギャップ７６内に注入される。幾つかの実施形態では、当該組合せは、液晶モノマー部分（ｌｉｑｕｉｄ  ｃｒｙｓｔａｌｌｉｎｅ  ｍｏｎｏｍｅｒ  ｍｏｉｅｔｉｅｓ）１００、光重合開始剤（ｐｈｏｔｏ−ｉｎｉｔｉａｔｏｒ）１０１、及び、液晶部分（ｌｉｑｕｉｄ  ｃｒｙｓｔａｌ  ｍｏｉｅｔｉｅｓ）１０２を含む。より具体的には、プロセスの一例では、組合せは、ネマチックＬＣ（ＬＣＭ−１６５６）、液晶モノマー（ＲＭ２５７）及び光重合開始剤（ＩＲＧ１８４）が、９９重量％：０．５重量％：０．５重量％の比率からなる。ＬＣＭ−１６５６は、ＬＣ  Ｍａｔｔｅｒ  Ｃｏｒｐ．（例えば、米国、フロリダ州オーランド、ｌｃｍａｔｔｅｒ．ｃｏｍ）から入手でき、ＲＭ−２５７及びＩＲＧ−１８４は、ＭｅｒｃｋまたはＭｅｒｃｋ  ＫｇａＡ（ドイツ、ダルムシュタット、ｍｅｒｃｋｇｒｏｕｐ．ｃｏｍ）から入手できる。選択された材料は、好ましくは、厳しい変形に耐えるのに十分な剛性を有するが、曲げ後に構造内のセルギャップを回復するための良好な弾性を有する、というポリマーポストの形成をもたらす。
【００８０】
図４（ｃ）は、製造プロセスの次の段階を示している。組合せ材料がギャップ７６内に注入されたセルは、穴１１２、１１３のアレイを画定するリソグラフィマスク１１０と位置合わせされる。次に、当該構造体が、本例では紫外線などの、化学線（化学電磁放射線）１１１に曝される。露光の間、相分離プロセスにおいて、液晶部分１２５が、穴１１２、１１３を介して紫外線に露光された領域から離れる方向にドリフトし、一方、液晶モノマー１２０、１２１は露光領域内へとドリフトする。
【００８１】
図４（ｄ）に示されるように、化学線１１１への露光の間、ポリマー鎖１３５が液晶モノマー１２０、１２１間の光重合によって形成され、ポリマー層７４、７７間に延びるポストのアレイが形成される。
【００８２】
化学線１１１への露光は、１００℃未満の低温で実施され得て、説明されている例では、室温付近（約２０〜２５℃）で実施され得る。このような低温光重合は、当該光重合プロセス中にガラスカバーによって支持されている構造の層に損傷を与えることのない製造を許容する。
【００８３】
次の段階では、図４（ｅ）に示されるように、セルがリソグラフィーシステムから取り外され、弾性のあるポリマーポストが下部ポリマー層７７の上面から上部ポリマー層７４の下面まで延びていて、液晶がギャップを埋めていて且つポストを囲んでいる。
【００８４】
図４（ｆ）は、次の段階を示している。そこでは、ガラス層（カバー）８０、８２が除去され、図２に示すような可撓性の調整可能な液晶セルが残される。
【００８５】
液晶セルは、ＵＶ硬化性ポリマーを使用して、この例ではマイラースペーサによって密閉（シール）されている。この例では、ポストは、光重合による硬化中に、液晶とモノマーとの混合物で形成される。別の実施形態では、第１工程でポストが形成され得て、その後、未硬化材料の除去によってポストのネットワークが残され、その後、当該ポストのネットワークの周囲の除去後に液晶が注入され得る。幾つかの例では、パターン化されたマスクを使用してシール領域を画定し、ポスト作成に使用されたのと同じ材料でセルを閉じることにより、硬化中に液晶セルがシールされ得る。
【００８６】
この製造プロセスは、中間ポリマー層と、第２ギャップを画定する第２マイラースペーサと、を追加することにより、図３Ａ乃至図３Ｄに示されるような２層セルに拡張可能である。その他については、同様のプロセス工程が、２層セルの場合にも適用される。
【００８７】
図５は、図４（ｃ）及び図４（ｄ）を参照して説明されたプロセスの段階で使用され得るリソグラフィマスク１１０の代表的なレイアウトを示している。この例では、マスクのレイアウトは、水平寸法及び垂直寸法の両方において約５０μｍの直径及び約５００μｍのピッチを有する円形穴２５０、２５１のアレイを含んでいる。このレイアウトは、前述の材料を使用して、約３５μｍの厚さの液晶層用に選択されたものである。特定の実施形態のニーズに応じて、他のレイアウトが選択され得る。穴の密度は、ポリマー層間のギャップ内に配置されるポストの密度に変換される。当該密度は、セルの電気光学性能と有意に干渉しないように選択される必要がある一方で、セルの形状が折り畳みによって変形された後、元の形状に戻るような、前述の意味での十分な弾性を維持することも必要である。
【００８８】
穴は、図５に示すような円形である必要はなく、楕円形、長方形、または、他のより複雑な形状であってもよい。好ましい形状及び形状の密度は、経験的方法またはシミュレーションを使用して、決定され得る。
【００８９】
図６（ａ）乃至図６（ｆ）は、前述の実施形態において配向層として使用されるポリマー層を製造する方法の一実施形態の段階を示している。図６（ａ）は、ＩＴＯなどの導体の各層８０２、８０６でコーティングされたガラス層８００、８０１、及び、ブラシ付きポリイミドなどの配向層８０３、８０５、からなる空のプロセスセルを含むプロセスの段階を示している。配向層８０３、８０５は、前述の例のために要求される配向に従って、ポリマー層の対向する表面上でのポリマー層内の液晶材料のディレクタを整列させるように構成されている。マイラースペーサ８０４が、設計に依存して調整され得る厚さで、ガラス層８００、８０１間のギャップ８１０を維持する。例えば、図２の上部及び下部ポリマー層２４、２７の厚さは、約７μｍであり、図３Ａ乃至図３Ｄのポリマー層４７の厚さは、約３５μｍである。
【００９０】
図６（ｂ）に示されるように、部分８５２、モノマー８５１及び光重合開始剤８５０を含む液晶材料の混合物が、約９０℃の温度で空のプロセスセル内に注入される。配向層８０３、８０６の結果として、液晶特性を有するメソマーであり得るモノマーと、液晶とが、当該配向層８０３、８０６によって設定された方向に従って、混合物中で配向される。この例では、当該液相内のダイレクタが、図の紙面内で整列され、配向層８０２、８０５の平面と平行である。
【００９１】
図６（ｃ）に示されるように、導電性ＩＴＯ層８０２、８０６は、高ＡＣ電圧を印加する電源９００に接続され、モノマー（例えば８５６）と液晶部分（例えば８５７）との両方の分子をガラスカバーの表面に直交するｚ軸５に平行に向け直す。もっとも、配向層によって提供される強い固定力のために、配向層表面近くの分子配向（例えば、８５４、８５５）は、ラビング方向に平行のままである。
【００９２】
図６（ｄ）に示されるように、ＡＣ電界が印加されている間に、当該構造体は、化学線ＵＶ放射９１０に曝される。この放射は、光重合開始剤を始動させ（トリガし）、モノマーの光重合を活性化する。モノマーが反応してポリマー鎖を形成すると、２つのガラスカバー間に液晶部分が埋め込まれたポリマーフィルムができる。重合から生じるポリマーネットワーク（例えば８６０）が、ポリマー層内の液晶分子を捕捉して、その配向を維持するのに役立つ。
【００９３】
図６（ｅ）に示されるように、重合が完了した後、電界とＵＶ放射が除去され得る。
次いで、図６（ｆ）に示されるように、ガラスカバー８０２、８０１がＩＴＯ及び配向層（８０２、８０３及び８０５、８０６）と共にポリマー層１０００から剥がされる。
【００９４】
結果として、この例のポリマー層は、配向層と接触する表面から離れている中央でのポリマー層の大部分における液晶部分のディレクタがｚ軸上にあるため、光学的に異方性であり得る。ポリマー層の表面上の液晶分子は、配向層の表面に平行に配置されたまま、ポリマーネットワークによって閉じ込められている。このように、ポリマー層の表面が、前述の構造の液晶層内の液晶分子を整列（配向）させるために利用され得る。
【００９５】
このプロセスは、製造中に配向層８０３、８０５のラビング方向及び材料を変更することにより、ポリマー層の表面上の液晶分子の異なる配向を設定するために利用され得る。また、重合中に可変の電界を印加することにより、ポリマー層全体の配向方向を傾斜させることができ、パッシブレンズ効果をもたらすことができる。
【００９６】
特定の一例では、ポリマー層は、反応性メソゲン（ＲＭ２５７）、液晶（ＭＬＣ２１４４）及び光開始剤（ＩＲＧ１８４）からなり、ＲＭ２５７：ＭＬＣ２１４４：ＩＲＧ１８４＝７９重量％：２０重量％：１重量％の比率である。ＲＭ２５７は、１，４−ビス−［４−（３−アクリロイルオキシプロピルオキシ）ベンゾイルオキシ］−２−メチルベンゼン（ＣＡＳ  １７４０６３−８７−７）である。ＩＲＧ１８４は、１−ハイドロキシシクロヘキシルフェニルケトン（ＣＡＳ  ９４７−１９−３）である。
【００９７】
一実施形態では、図４（ａ）乃至図４（ｆ）を参照して説明されたように、ポストを形成する目的で使用される反応性モノマーが、ポリマー層の形成で反応性モノマーとして使用されるものと同じ（例えばＲＭ２５７）であってもよい。他の実施形態では、ポリマー前駆体は、２つの手順で異なり得る。また、幾つかの実施形態では、異なるポリマー前駆体及び液晶材料が、異なるポリマー層のために使用され得る。
【００９８】
ポリマー層を製造するための材料は、ＲＭ２５７、ＩＲＧ１８４及びＭＬＣ２１４４に限定されない。代替材料は、他の液晶モノマー及び光開始剤を含み得る。また、液晶（ＭＬＣ２１４４）は、他のネマチック液晶によって置換され得る。
【００９９】
１０―4Ｊ／ｍ2より大きいアンカリング強度を有するポリマー配向層を形成するために、当該ポリマー配向層の表面におけるポリマーネットワークの秩序化（ｏｒｄｅｒｉｎｇ）は、強力であるべきである。当該強力なポリマーネットワークの秩序化を達成するための１つの技術において、図６（ａ）乃至図６（ｆ）の処理で利用される配向層８０３、８０５が、ＡＬ２２６２０またはポリイミドＳＥ７４９２のような強力なアンカリング強度を有する配向層である。ポリマー配向層の表面において強力な秩序化を達成する他の技術も、利用され得る。
【０１００】
図７は、湾曲した基板上に形成された可撓性の単一層の液晶セルを示している。この構造は、前述のプロセスを使用して、例えば、曲面を有するプロセスセルのガラスカバーで作成され得る。当該液晶セルは、ポリマー層３２４とポリマー層３２７との間のギャップ内に配置された液晶層３２５を含み、ポリマー層３２４、３２７は、液晶層３２５のための配向層として機能するように構成された液晶部分（ｌｉｑｕｉｄ  ｃｒｙｓｔａｌ  ｍｏｉｅｔｉｅｓ）と混合された可撓性または弾性のポリマーを含む。ポリマー層３２４、３２７は、層の中央領域に垂直ディレクタを有して、表面に水平ディレクタを有する、という液晶部分を含む。この例の上部ポリマー層３２４では、表面上のディレクタは、液晶層３２５の主表面に対して水平であり、図の紙面に対して平行である。この例の下部ポリマー層３２７では、上面上のディレクタは、液晶層３２５の主表面に対して水平であり、図の紙面に対して平行である。下部ポリマー層３２７の下面上では、ディレクタは、上面上のディレクタと平行である。この例のディレクタの配向は、液晶層３２５の上面及び下面の配向方向が互いに平行である、という状態に帰結している。
【０１０１】
ポスト（例えばポスト３２６）のアレイ（配列）が、液晶層３２５内に配置される。アレイ状のポストは、上部ポリマー層３２４から下部ポリマー層３２７まで延び、液晶層３２５の厚さを維持するのに役立っている。
【０１０２】
好ましくは、ポスト及びポリマー層は、弾性ポリマーまたはエラストマーを含む。
【０１０３】
液晶は、ポストのアレイ内のポストの周囲の第１ポリマー層と第２ポリマー層との間のギャップ内に閉じ込められている。
【０１０４】
この例では、電気コンポーネントが、誘電性ポリマー（この例では層３２０、３２２、３２９を含む）内に配置されている。電気コンポーネントは、抵抗層３２３、上部ポリマー層３２４の上方のパターン電極層３２１、及び、下部ポリマー層３２７の下方のパッド電極層３２８、を含んでいる。
【０１０５】
代表的な一実施形態では、液晶セルの基板は、ＰＤＭＳを含む誘電体層２０、２２を含む。
【０１０６】
セルの曲率半径は、様々な実施形態において、約１００ｍｍ〜８ｍｍ以下の範囲内であり得る。例えば、曲率半径は、１００ｍｍ〜１ｍｍの範囲内であり得る。
【０１０７】
図７に示された液晶セルの実施形態は、小さな半径で折り畳まれ、元の形状に戻った後でも、光学特性を維持することができる。
【０１０８】
図８は、湾曲した基板上に形成された可撓性の２層液晶セルを示している。図８では、当該セルは、第１液晶層４２５と第２液晶層４２８とを含んでいる。第１液晶層４２５は、上部（第１）液晶ポリマー層４２４と中間（第２）液晶ポリマー層４２７との間のギャップ内に配置されている。第２液晶層４２８は、中間液晶ポリマー層４２７と下部（第３）液晶ポリマー層４３０との間のギャップ内に配置されている。
【０１０９】
上部ポリマー層４２４は、液晶層４２５に隣接する下面にディレクタを有しており、それは、セルのｚ軸５に直交しており、且つ、図の紙面に平行である。中間ポリマー層４２７は、液晶層４２５に隣接する上面にディレクタを有しており、それは、ｚ軸５に直交しており、且つ、図の紙面に平行である（すなわち、上部ポリマー層４２４の下面のディレクタに平行である）。中間ポリマー層４２７は、液晶層４２８に隣接する下面にディレクタを有しており、それは、ｚ軸５に直交しており、且つ、図の紙面に直交している（すなわち、中間ポリマー層４２７の上面のディレクタに直交している）。下部ポリマー層４３０は、液晶層４２８に隣接する上面にダイレクタを有しており、それは、ｚ軸５に直交しており、且つ、図の紙面に直交している（すなわち、中間ポリマー層４２７の下面のディレクタに平行である）。
【０１１０】
ポリマー層４２４、４２７、４３０は、液晶層の配向層として機能する。中間ポリマー層４２７は、その上面及び下面に直交ディレクタを有する。幾つかの実施形態では、上側及び下側ポリマー層４２４、４３０は、ブラシ付きポリイミド層などの他の配向層材料で置き換えられ得る。
【０１１１】
ポストのアレイ（例えばポスト４２６）が、上部ポリマー層４２４と中間ポリマー層４２７との間のギャップ内に配置され、当該ギャップ内に閉じ込められた液晶層４２５の液晶材料に囲まれている。当該アレイのポストは、上部ポリマー層４２４から中間ポリマー層４２７まで延びており、前述のように厚さを維持するのに役立っている。
【０１１２】
ポストの第２アレイ（例えばポスト４２９）が、中間ポリマー層４２７と下部ポリマー層４３０との間のギャップ内に配置されている。ポストの第２アレイは、ギャップ内に閉じ込められた液晶層４２８内の液晶材料によって囲まれている。
【０１１３】
この例では、電気コンポーネントは、層４３２、４３３、４３４を含む誘電性ポリマー基板内に配置されている。電気コンポーネントは、抵抗層４２３、上部ポリマー層４２４の上方に配置されたパターン電極４２１、及び、下部ポリマー層４３０の下方のパッド電極層４３１を含む。
【０１１４】
図７及び図８の湾曲した実施形態は、セルの電気活性コンポーネントにパッシブな追加のレンズ屈折力（レンズ度数）を提供できる。
【０１１５】
図７及び図８に示された液晶セルの実施形態は、小さな半径で折り畳まれて元の形状に戻った後も、その光学特性を維持できる。
【０１１６】
図９は、液晶層内の液晶分子のハイブリッド配向を利用する２層液晶セルの別の実施形態を示している。当該セルは、第１液晶層５０５と第２液晶層５０８とを含んでいる。第１液晶層５０５は、例えばＰＤＭＳを含み得る上部垂直配向層５０４と中間ポリマー層５０７との間のギャップ内に配置されている。第２液晶層５０８は、中間ポリマー層５０７と下部垂直配向層５１０との間のギャップ内に配置されている。
【０１１７】
中間ポリマー層５０７は、液晶層５０５に隣接する上面にディレクタを有しており、それは、ｚ軸５に直交しており（液晶層５０５の表面に平行）、且つ、図の紙面に直交している。中間ポリマー層５０７は、液晶層５０８に隣接する下面にディレクタを有しており、それは、ｚ軸５に直交しており、且つ、図の紙面に平行である（すなわち、中間ポリマー層５０７の上面のディレクタに直交している）。
【０１１８】
上部垂直配向層５０４及び下部垂直配向層５１０に隣接する液晶層５０５、５０８内のディレクタは、図の紙面内で、ｚ軸５に平行に、垂直方向に配置されている。当該液晶層内のディレクタは、中間ポリマー層５０７の配向機能のために、図示のように、当該液晶層５０５、５０８の上面と下面との間で、直交面内に（直交方向に）捩れている。
【０１１９】
液晶層５０５、５０８は、合理的な製造公差及び光学性能公差の範囲内で、ポリマー層間の同一の厚さを有する。
【０１２０】
ポストのアレイ（例えばポスト５０６）が、上部配向層５０４と中間ポリマー層５０７との間のギャップ内に配置され、当該ギャップ内に閉じ込められた液晶層５０５の液晶材料に囲まれている。当該アレイのポストは、上部配向層５０４から中間ポリマー層５０７まで延びており、前述のように厚さを維持するのに役立っている。
【０１２１】
ポストの第２アレイ（例えばポスト５０９）が、中間ポリマー層５０７と下部配向層５１０との間のギャップ内に配置されている。ポストの第２アレイは、ギャップ内に閉じ込められた液晶層５０８内の液晶材料によって囲まれている。
【０１２２】
この例では、電気コンポーネントは、層５１２、５１０、５００、５０４を含む誘電性ポリマー基板内に配置されている。電気コンポーネントは、抵抗層５０２、ポリイミド層５０１、上部配向層５０４の上方に配置されたパターン電極層５０３、及び、下部配向層５１０の下方のパッド電極層５１１を含む。この構造では、応答時間が、図３Ａ乃至図３Ｄを参照して説明された構造の応答時間よりも速い可能性がある。もっとも、調整可能範囲は、より小さいかもしれない。
【０１２３】
図１０は、図９の実施形態と同様に、代替の一実施形態を示しており、同じ参照符号は同じコンポーネントを指すために使用されており、再度説明されない。この実施形態では、パターン電極５２３と抵抗膜５２１／ポリイミド膜５２２構造との位置が逆になっており、パターン電極５２３は抵抗膜５２１の上にある。それ以外の構造は同様であり、同様の態様で動作し得る。
【０１２４】
図９及び図１０の液晶セルは、小さな半径で折り畳まれ、元の形状に戻った後も、それらの光学特性を維持できる。
【０１２５】
別の実施形態では、パターン化された電極が利用されなくてもよい。不均一な電界が、空間的に分布された誘電率または誘電表面を有する誘電体層を構造に追加した一対の透明なパッド型電極によって、生成され得る。
【０１２６】
図１１は、電極パターニング無しの透明電極６０１、６１０を有する構造の一実施形態を示している。
【０１２７】
図１１に示されたセルは、第１液晶層６０４と第２液晶層６０７とを含んでいる。第１液晶層６０４は、上部（第１）液晶ポリマー層６０３と中間（第２）液晶ポリマー層６０６との間のギャップ内に配置されている。第２液晶層６０７は、中間液晶ポリマー層６０６と下部（第３）液晶ポリマー層６０９との間のギャップ内に配置されている。
【０１２８】
上部ポリマー層６０３は、液晶層６０４に隣接する下面にディレクタを有しており、それは、ｚ軸５に直交しており（液晶層６０４の表面に平行）、且つ、図の紙面に直交している。中間ポリマー層６０６は、液晶層６０４に隣接する上面にディレクタを有しており、それは、ｚ軸５に直交しており（液晶層６０４の表面に平行）、且つ、図の紙面に直交している（すなわち、上部ポリマー層６０３の下面のディレクタに平行である）。中間ポリマー層６０６は、液晶層６０７に隣接する下面にディレクタを有しており、それは、ｚ軸５に直交しており（液晶層６０７の表面に平行）、且つ、図の紙面に平行である（すなわち、中間ポリマー層６０６の上面のディレクタに直交している）。下部ポリマー層６０９は、液晶層６０７に隣接する上面にダイレクタを有しており、それは、ｚ軸５に直交しており（液晶層６０７の表面に平行）、且つ、図の紙面に平行である（すなわち、中間ポリマー層６０６の下面のディレクタに平行である）。
【０１２９】
液晶層６０４、６０７は、合理的な製造公差及び光学性能公差の範囲内で、ポリマー層間の同一の厚さを有する。
【０１３０】
ポストのアレイ（例えばポスト６０５）が、上部ポリマー層６０３と中間ポリマー層６０６との間のギャップ内に配置され、当該ギャップ内に閉じ込められた液晶層６０４の液晶材料に囲まれている。当該アレイのポストは、上部ポリマー層６０３から中間ポリマー層６０６まで延びており、前述のように厚さを維持するのに役立っている。
【０１３１】
ポストの第２アレイ（例えばポスト６０８）が、中間ポリマー層６０６と下部ポリマー層６０９との間のギャップ内に配置されている。ポストの第２アレイは、ギャップ内に閉じ込められた液晶層６０７内の液晶材料によって囲まれている。
【０１３２】
この例では、電気コンポーネントは、層６００、６０２、６１１を含む誘電性ポリマー基板内に配置されている。電気コンポーネントは、上部ポリマー層６０３の上方に配置された平坦透明電極６０１、及び、下部ポリマー層６０９の下方の平坦透明電極６１０を含む。
【０１３３】
この種類（タイプ）の構造では、抵抗層やパターン電極は必要ない。もっとも、構造の全体の厚さは、増大されてしまうかもしれない。ポリマー層６０３、６０６、６０９は、液晶層のための配向層として機能する。中間ポリマー層６０６は、その上面及び下面に直交ディレクタを有する。この例では、上部ポリマー層６０３の上面６０３Ａは、層６０２の誘電材料の一致する曲面を伴って、湾曲されている。当該曲面は、平坦な透明電極６０１、６１０に電圧が印加される時、不均一な電界の生成に帰結し得る。
【０１３４】
図１１の液晶セルは、小さな半径で折り畳まれ、元の形状に戻った後でも、その光学特性を維持することができる。
【０１３５】
図１２は、パターン電極ではなく平坦な透明電極が使用される別の実施形態を示している。図１２に、液晶層内の液晶分子のハイブリッド配向を利用した２層液晶セルが示されている。図１２のセルは、第１液晶層７０４と第２液晶層７０７とを含んでいる。第１液晶層７０４は、例えばＰＤＭＳを含み得る上部垂直配向層７０３と中間ポリマー層７０６との間のギャップ内に配置されている。第２液晶層７０７は、中間ポリマー層７０６と下部垂直配向層７０９との間のギャップ内に配置されている。
【０１３６】
中間ポリマー層７０６は、液晶層７０４に隣接する上面にディレクタを有しており、それは、ｚ軸５に直交しており（液晶層７０４の表面に平行）、且つ、図の紙面に直交している。中間ポリマー層７０６は、液晶層７０７に隣接する下面にディレクタを有しており、それは、ｚ軸５に直交しており（液晶層７０７の表面に平行）、且つ、図の紙面内に存在している（すなわち、中間ポリマー層７０６の上面のディレクタに直交している）。湾曲されたポリマー層７０２が、上部配向層７０３の上方に接触して配置される。これが、平坦透明電極７０１、７１０間の電界の経路に湾曲面７０３Ａを形成する。
【０１３７】
ＰＤＭＳ層が、当該構造のための垂直配向層７０３、７０９として機能する。結果として、上部垂直配向層７０３及び下部垂直配向層７０９に隣接する液晶層７０４、７０７内のディレクタは、光路に沿って、垂直方向に配置される。当該液晶層内のディレクタは、中間ポリマー層７０６の配向機能のために、図示のように、上面と下面との間で、直交面内に（直交方向に）捩れている。
【０１３８】
液晶層７０４、７０７は、合理的な製造公差及び光学性能公差の範囲内で、ポリマー層間の同一の厚さを有する。
【０１３９】
ポストのアレイ（例えばポスト７０５）が、上部配向層７０３と中間ポリマー層７０６との間のギャップ内に配置され、当該ギャップ内に閉じ込められた液晶層７０４の液晶材料に囲まれている。当該アレイのポストは、上部配向層７０３から中間ポリマー層７０６まで延びており、前述のように厚さを維持するのに役立っている。
【０１４０】
ポストの第２アレイ（例えばポスト７０８）が、中間ポリマー層７０６と下部配向層７０９との間のギャップ内に配置されている。ポストの第２アレイは、ギャップ内に閉じ込められた液晶層７０７内の液晶材料によって囲まれている。
【０１４１】
この例では、電気コンポーネントは、湾曲されたポリマー層７０２の上方に配置された平坦透明電極層７０１、及び、下部配向層７０９の下方の平坦透明電極層７１０を含む。誘電性基板層７００、７２２は、セルの対向面上に配置されている。
【０１４２】
図１２の液晶セルは、小さな半径で折り畳まれ、元の形状に戻った後も、その光学特性を維持できる。
【０１４３】
前述のように、液晶及びポリマーフィルム内の液晶分子の配向は、光重合中に印加される外部電界によって規定され得る。プロセス中に不均一な電界を印加することにより、結果として生じる液晶ポリマーフィルムは、固定されたレンズ屈折力を有し得る。液晶ポリマーレンズのレンズ屈折力を可撓性の電気活性コンポーネントと組合せて使用すれば、構造にレンズ屈折力を追加することができる。
【０１４４】
図１３に、液晶ポリマー層によってレンズ屈折力が追加された２層液晶電気活性セルの例が示されている。
【０１４５】
図１３では、セルは、第１液晶層９５４と第２液晶層９５７とを含んでいる。第１液晶層９５４は、上部（第１）液晶ポリマー層９５３と中間（第２）液晶ポリマー層９５６との間のギャップ内に配置されている。第２液晶層９５７は、中間液晶ポリマー層９５６と下部（第３）液晶ポリマー層９５９との間のギャップ内に配置されている。
【０１４６】
上部ポリマー層９５３は、その表面間にレンズ屈折力を誘発するべく分布されたディレクタを有しており、また、その上面及び下面上にディレクタを有しており、後者は、ｚ軸５に直交しており（液晶層９５４の表面に平行）、且つ、図の紙面に直交している。上部ポリマー層９５３の表面間のディレクタは、この例ではｚ軸５に平行で図の紙面に直交する面内において、ある量だけ傾斜しており、当該量は、光学ゾーンの中央線に対するそれらの位置の関数である。
【０１４７】
中間ポリマー層９５６は、液晶層９５４に隣接する上面にディレクタを有しており、それは、ｚ軸５に直交しており（液晶層９５４の表面に平行）、且つ、図の紙面に直交している（すなわち、上部ポリマー層９５３の下面のディレクタに平行である）。中間ポリマー層９５６は、液晶層９５７に隣接する下面にディレクタを有しており、それは、ｚ軸５に直交しており（液晶層９５７の表面に平行）、且つ、図の紙面に平行である（すなわち、中間ポリマー層９５６の上面のディレクタに直交している）。中間ポリマー層９５６の表面間のディレクタは、垂直方向に配置されている。
【０１４８】
下部ポリマー層９５９は、その表面間にレンズ屈折力を誘発するべく分布されたディレクタを有しており、また、その上面及び下面上にディレクタを有しており、後者は、ｚ軸５に直交しており（液晶層９５７の表面に平行）、且つ、図の紙面に平行である（すなわち、中間ポリマー層９５６の下面のディレクタに平行である）。下部ポリマー層９５９の表面間のディレクタは、この例ではｚ軸５に平行で図の紙面にも平行である面内において、ある量だけ傾斜しており、当該量は、光学ゾーンの中央線に対するそれらの位置の関数である。結果として、上部ポリマー層及び下部ポリマー層の表面間のディレクタの配向は、互いに直交している。
【０１４９】
ポリマー層９５３、９５６、９５９は、液晶層の配向層として機能する。
【０１５０】
液晶層９５４、９５７は、合理的な製造公差及び光学性能公差の範囲内で、ポリマー層間の同一の厚さを有する。
【０１５１】
ポストのアレイ（例えばポスト９５５）が、上部ポリマー層９５３と中間ポリマー層９５６との間のギャップ内に配置され、当該ギャップ内に閉じ込められた液晶層９５４の液晶材料に囲まれている。当該アレイのポストは、上部ポリマー層９５３から中間ポリマー層９５６まで延びており、前述のように厚さを維持するのに役立っている。
【０１５２】
ポストの第２アレイ（例えばポスト９５８）が、中間ポリマー層９５６と下部ポリマー層９５９との間のギャップ内に配置されている。ポストの第２アレイは、ギャップ内に閉じ込められた液晶層９５７内の液晶材料によって囲まれている。
【０１５３】
この例では、電気コンポーネントは、層９５０、９６１、９６２を含む誘電性ポリマー基板内に配置されている。電気コンポーネントは、電気コンポーネントは、接触するポリイミド層９５１Ａを有する抵抗層９５１Ｂ、上部ポリマー層９５３の上方に配置されたパターン電極層９５２、及び、下部ポリマー層９５９の下方の透明パッド電極層９６０を含む。
【０１５４】
上部ポリマー層９５３及び下部ポリマー層９５９内に分布されたディレクタは、電気活性セルに追加のレンズ屈折力を提供する。幾つかの実施形態では、ポリマー層９５３、９５９によって提供されるパッシブレンズ屈折力が、液晶層によって提供される電気活性屈折力と組合され得て、近くの物体にも遠くの物体にも焦点合わせできるレンズ構造の利用を可能にする。
【０１５５】
図１３の液晶セルは、小さな半径で折り畳まれ、元の形状に戻った後も、その光学特性を維持できる。
【０１５６】
図１４は、レンズ用の調整可能な電気活性液晶セルの一実施形態を示す。当該実施形態では、第２液晶層４８の下方のパッド電極層５１を除去し、パターン開口（パターン化された開口）を有する第２電極４２Ａを提供することによって、図３Ｄの構造に対して２層液晶セルが変更されている。第２電極４２Ａは、誘電性ポリマー４０Ａ内に配置されている。また、抵抗層４１Ａが、配向層５０の下方に配置されている。図３Ａ乃至図３Ｄの実施形態の要素と共通である図１４の要素には、同様の参照番号が付されており、再度の説明は省略される。
【０１５７】
第１電極４２及び第２電極４２Ａのパターン開口は、円形形状を有し得る。幾つかの実施形態では、パターン開口は、共通の半径を有する円形形状を有する。他の実施形態では、パターン開口は、異なる半径を有する円形形状を有する。更に、他の実施形態では、パターン開口は、円形以外の形状を有し得る。
【０１５８】
図１４の実施形態における円形開口は、調整可能レンズの開口（アパーチャ）と整列して配置され、電界力で電気力線を誘導するように構成されており、調整可能なレンズ屈折力（レンズ度数）を達成するべく第１及び第２活性層における液晶部分の配向（整列）を制御するのに好適である。
【０１５９】
代替の実施形態では、第１及び第２電極４２、４２Ａは、複数の穴パターン開口を有しており、図１１及び図１２の場合と同様、パッド電極及び湾曲されたポリマー層を用いて置換され得る。また、代替的に、パッシブなレンズ屈折力（レンズ度数）が、前述のようなポリマー層を用いて提供され得る。
【０１６０】
図１５は、レンズ用の調整可能な電気活性液晶セルの一実施形態を示す。当該実施形態では、液晶を含む第１及び第２活性層間にパッド電極１５０を挿入することによって、図１４の構造に対して２層液晶セルが変更されている（すなわち、液晶層４５、４８）。図１４の実施形態の要素と共通である図１５の要素には、同様の参照番号が付されており、再度の説明は省略される。
【０１６１】
当該実施形態では、透明な可撓性パッド電極１５０が、第２配向層４７の下方の誘電体ポリマー１５５、１５６内に配置されている。追加の配向層４７Ａが、パッド電極１５０の下方に配置され、第２液晶層４８の上面と接触している。
【０１６２】
第１及び第２電極４２、４２Ａは、図１４に関連して前述されたように、パターン開口を有し得る。
【０１６３】
第１駆動信号源１６０及び第２駆動信号源１６１を含むドライバが、第１液晶層４５に第１駆動信号を適用して第２液晶層４８に第２駆動信号を適用するために、第１パターン電極４２及び第２パターン電極４２Ａに電気的に接続されている。幾つかの実施形態では、第１及び第２駆動信号は、製造上の仕様及び性能上の仕様の範囲内で、同一であり得る。他の実施形態では、第１及び第２駆動信号は、パルス形状、デューティサイクル、ＤＣオフセット、振幅、及び、周波数、のうちの少なくとも１つ、あるいは、幾つかの実施形態では２以上、で異なり得る。駆動信号の特性は、例えば、特定のレンズ屈折力や達成されるべき他の性能特性のために、較正によって決定され得る。
【０１６４】
幾つかの実施形態では、ドライバは、パッド電極１５０に結合され、ＤＣ基準電圧またはグランド電位を当該パッド電極に印加する。幾つかの実施形態では、互いから分離され、第１及び第２活性層（液晶層）間に配置された第１及び第２パッド電極が存在し得る。第１駆動信号は、第１電極と第１パッド電極との間で結合され得て、第２駆動信号は、第２電極と第２パッド電極との間で結合され得る。
【０１６５】
図１６は、レンズ用の調整可能な電気活性液晶セルの一実施形態を示す。当該実施形態では、第１及び第２活性層（４２５、４２８）間にパッド電極４５０を挿入することによって、及び、図１４及び図１５を参照して議論された電極４２Ａのようなパターン開口を有する第２電極４２１Ａで図８のパッド電極を置換することによって、図８の構造に対して湾曲した２層液晶セルが変更されている。図８の構成と共通である図１６の要素には、同様の参照番号が付されており、再度の説明は省略される。
【０１６６】
当該実施形態では、透明な可撓性パッド電極４５０が、第２配向層（ポリマー層４２７）の下方の誘電体ポリマー４５５、４５６内に配置されている。追加の配向層（ポリマー層４２７Ａ）が、パッド電極４５０の下方に配置され、第２液晶層４２８の上面と接触している。
【０１６７】
第２電極４２１Ａは、誘電性ポリマー４３３Ａ、４３４Ａ内に配置されている。また、抵抗層４２３Ａが、ポリマー層４３０の下方に配置されている。
【０１６８】
第１駆動信号源４６０及び第２駆動信号源４６１を含むドライバが、第１液晶層４２５に第１駆動信号を適用して第２液晶層４２８に第２駆動信号を適用するために、第１パターン電極４２１及び第２パターン電極４２１Ａに電気的に接続されている。幾つかの実施形態では、第１及び第２駆動信号は、製造上の仕様及び性能上の仕様の範囲内で、同一であり得る。他の実施形態では、第１及び第２駆動信号は、パルス形状、デューティサイクル、ＤＣオフセット、振幅、及び、周波数、のうちの少なくとも１つ、あるいは、幾つかの実施形態では２以上、で異なり得る。駆動信号の特性は、例えば、特定のレンズ屈折力や達成されるべき他の性能特性のために、較正によって決定され得る。
【０１６９】
幾つかの実施形態では、ドライバは、パッド電極４５０に結合され、ＤＣ基準電圧またはグランド電位を当該パッド電極に印加する。幾つかの実施形態では、互いから分離され、第１及び第２活性層間に配置された第１及び第２パッド電極が存在し得る。第１駆動信号は、第１電極と第１パッド電極との間で結合され得て、第２駆動信号は、第２電極と第２パッド電極との間で結合され得る。
【０１７０】
１０―4Ｊ／ｍ2より大きいアンカリング強度を有する配向層のような、強力なアンカリング強度を有する配向層を用いることによって、回位（ｄｉｓｃｌｉｎａｔｉｏｎ）効果が低減され得る。十分な強度を有する配向層が、ポリマー配向層を用いて、前述のように製造され得る。
【０１７１】
図１７は、５０％に等しくないデューティサイクルを有する駆動信号を示すグラフである。この例では、駆動信号は、正と負のピークの大きさが等しいＡＣ矩形波である。もっとも、正方向のパルスのパルス幅τは、当該信号の周期Ｔの５０％未満である。当該駆動信号のデューティサイクルを制御することにより、活性セル内の電界にＤＣオフセットが誘発され得て、イオン効果またはフレキソエレクトリック効果のためにレンズ屈折力を変更し得る。他の例では、駆動信号は、正弦波、のこぎり波、または、異なるパルス形状または混合パルス形状を有する他の信号、であり得る。
【０１７２】
図１８は、正と負のピークの大きさが等しくなくて、ＤＣオフセットを誘発している駆動信号を示すグラフである。この例では、駆動信号のデューティサイクルは、５０％である。駆動信号におけるＤＣオフセットを生成する正と負のピークの大きさを制御することにより、ＤＣオフセットが活性セル内の電界に誘発され得て、イオン効果またはフレキソエレクトリック効果のためにレンズ屈折力を変更し得る。
【０１７３】
幾つかの実施形態では、調整可能なデューティサイクル、及び、正と負のピークの調整可能な大きさ、の組合せを有する駆動信号が、適用され得る。
【０１７４】
幾つかの実施形態では、駆動信号は、所望のレンズ屈折力特性を達成するために、パルス幅変調を用いて適用され得る。パルス幅変調は、環境要因のためにリアルタイムで制御するために、例えば、選択されたレンズ屈折力において、焦点の質を示すフィードバックを用いて、適用され得る。液晶レンズのレンズ屈折力は、イオン効果またはフレキソエレクトリック効果のために、正電圧または負電圧の下で異なる。パルス幅の変更が、平均電圧に正のＤＣオフセットまたは負のＤＣオフセットを提供し得て、レンズ屈折力を変更し得る。
【０１７５】
調整可能な駆動信号の他の特徴は、周波数と大きさとを含む。一般に、周波数と大きさとは、液晶部分のダイレクタの調整に適用される液晶層内の電界強度を決定する。
【０１７６】
図１９は、パターン開口を有する第１電極４８０、電気力線の分散を補助するための抵抗層４８１、及び、パッド電極等の第２電極４８２、を有する調整可能な液晶セルの説明用の簡略図である。液晶層は、第１電極４８０と第２電極４８２との間に配置されている。液晶層は、例えばパッシブ状態での適用バイアスによってセル内の配向層（図示せず）に従って配向された部分（例えば４８５）を有する液晶を含む。配向層は、詳細に前述されたように、ポリマー配向層を含み得る。液晶セルは、前述のような弾性ポストを含み得る。液晶セルは、前述のような追加セルと組み合わされ得る。
【０１７７】
図２０は、第１電極４８０から第２電極４８２まで分散パターンで延びる電気力線によって表される、比較的高電力の電界を誘発する初期駆動信号が適用された、図１９の液晶セルを示している。当該初期駆動信号に応答して、液晶層の液晶部分は、実質的に均一に鉛直に整列され得る。前記初期駆動信号が適用された後、当該実施形態では、図２１によって表されるような駆動信号が、図２１の第１電極４８０から第２電極４８２まで分散パターンで延びる電気力線によって表される、比較的低電力の電界を有するように、適用される。図２１の駆動信号は、初期駆動信号に続いて適用され、液晶部分が目標のレンズ屈折力のために所望方向に緩和することを許容する。
【０１７８】
図２２は、図２０及び図２１を参照して説明されたような、初期のより高電力のインターバルを有し、その後により低電力のインターバルが続く、という駆動信号を示すグラフである。図２０に示すように、初期のより高電力のインターバルでは、駆動信号は、最初の周波数ｆ１と最初の大きさＶ１とを有し、比較的均一な電界分布を確立する。その後のより低電力のインターバルでは、駆動信号は、図２１に示すように、レンズ屈折力を設定するために、２番目の周波数ｆ２と２番目の大きさＶ２とを有する。周波数と大きさとの組合せが、活性層内の液晶部分の制御可能な配向（整列）をもたらすことができる電界パワーを確立し、レンズ電界の周囲の非傾斜（ｄｉｓｉｎｃｌｉｎａｔｉｏｎ）が少ない状態でセルの液晶層のレンズ屈折力をより迅速に調整するために利用可能であり得る。初期のより高いフィールドパワーインターバルの駆動信号は、後続のより低いフィールドパワーインターバルの駆動信号の周波数ｆ２及び大きさＶ２と比較して、より低い周波数ｆ１及びより高い大きさＶＩを有し得る。幾つかの実施形態では、初期のより高電力のインターバルは、複数のサイクルのセットではなく、単一の高い大きさのパルスであり得る。周波数と大きさとの他の組合せ、並びに、ＤＣオフセット、調整可能なデューティサイクル、及び、パルス幅変調、を含む駆動信号、が様々な組合せで適用され得て、特定の実装のための初期及び後続のフィールドパワーを実現し得る。一例では、ｆ１、Ｖ１は、５００Ｈｚ、５００ミリ秒間の４０Ｖｒｍｓであり得て、一方、ｆ２、Ｖ２は、４ＫＨｚ、３５Ｖｒｍｓであり得る。
【０１７９】
説明された可撓性の液晶セルの技術は、折り畳まれた後に構造が元の形状及び元の光学特性に戻るという意味で弾性を有し得る、コンタクトレンズなどの可撓性のレンズでの使用に適している。
【０１８０】
可撓性の液晶セルの実施形態は、全てポリマーベースの光学系を含み得る。幾つかの実施形態では、液晶セルは、偏光子を含み得るし、あるいは、偏光子を含まなくてもよい。幾つかの実施形態では、単一の液晶層が存在する。他の実施形態では、２以上の液晶層が存在する。
【０１８１】
液晶層内にポストのアレイを製造するために説明された技術は、ポリマー前駆体と液晶材料とを含む混合物の低温での光重合に基づいている。光重合は、例えばリソグラフィマスクを使用して形成されるパターンに従って、前駆体の相分離及び重合を誘発することで、ポストのアレイを形成する。
【０１８２】
本明細書に記載された可撓性の液晶セルは、破損することなくそれ自体で折り畳まれ得て、電気活性レンズの光学特性を回復しながら元の形状に戻され得る。
【０１８３】
例えば、折り畳み前後の平均厚さが初期厚さの±１０％以内に留まるように、液晶層の厚さは折り畳みの前後で維持され得る。また、液晶層の厚さは、折り畳みの前後で均一な厚さであり得て、例えば、光学素子の中心から光学素子の有効開口の縁まで、１．２μｍ未満だけ変化する。
【０１８４】
この技術は、液晶を使用して電気的に調整可能な光学系を実現する可撓性の光学素子を実装するために説明されている。液晶光学素子は、直交配向液晶ダイレクタを備えた一対の液晶層を含み得て、可撓性のポリマー配向層、可撓性の基板、及び、電界を制御するモジュールと共に、偏光子なしでの動作を可能にする。液晶光学素子のレンズ屈折力は、光学ゾーン全体の電界分布を制御することにより変更され得る。近視であって且つ老視である患者のために、可撓性のコンタクトレンズは、遠方の物体に焦点を合わせるための負のレンズ度数と近距離の物体に焦点を合わせるための追加のレンズ度数とが、本明細書に記載された技術を使用して実装され得る。幾つかの例では、負のレンズ屈折力は、光学層スタックのパッシブ構造によって提供され得て、液晶層の電気光学活性構造と組合され得る。これにより、可撓性コンタクトレンズは、本明細書で説明されるように、液晶を使用する可撓性の光学要素を含み得る、ということが理解され得る。
【０１８５】
電気的に調整可能な光学系を実現するための材料として液晶（ＬＣ）を採用した可撓性の光学素子が説明される。ＬＣ光学系は、偏光子なしでの動作のために直交配向ＬＣディレクタを有する一対のＬＣ層、可撓性のポリマー配向層、可撓性の基板、及び、電界を制御するためのモジュール、を含み得る。ＬＣ光学系のレンズ屈折力は、光学ゾーン全体の電界分布を制御することによって変更され得る。本明細書に記載された液晶セルは、可撓性ポリマーを含むコンタクトレンズ内に含まれ得る。
【０１８６】
近視であって老視、または、遠視であって老視である患者のために、遠い物体への焦点合わせを支援するための負のレンズ屈折力と、近くの物体への焦点合わせを支援するための追加の正のレンズ力と、を備えた可撓性のコンタクトレンズが説明される。ＬＣ光学系は、これらの患者のために、追加の正のレンズ屈折力を電気的に提供し得て、パッシブな初期の負のレンズ屈折力を持つ可撓性のコンタクトレンズと組合せられ得る。
【０１８７】
本明細書に説明された製造プロセスは、特定の順序で説明されている。しかしながら、幾つかの工程は、達成される機能に影響を与えることなく、組合され得るし、並列に実施され得るし、あるいは、異なる順序で実施され得る。幾つかの場合には、読者が理解するように、特定の他の変更が加えられた場合にのみ、工程の再編成が同じ結果を達成するであろう。他の場合には、読者が理解するように、特定の条件が満たされた場合にのみ、工程の再編成が同じ結果を達成するであろう。
【０１８８】
本発明は、前述の好適な実施形態及び実施例を参照して開示されているが、これらの実施例は、限定的な意味ではなく、例示的な意味である。修正及び組合せが、当業者に容易に思い浮かぶと想定される。当該修正及び組合せは、本発明の精神内、及び、以下の特許請求の範囲内である。
【図１】
2021531515.tif 000003
【図２】
2021531515.tif 000004
【図３Ａ】
2021531515.tif 000005
【図３Ｂ】
2021531515.tif 000006
【図３Ｃ】
2021531515.tif 000007
【図３Ｄ】
2021531515.tif 000008
【図４ａ】
2021531515.tif 000009
【図４ｂ】
2021531515.tif 000010
【図４ｃ】
2021531515.tif 000011
【図４ｄ】
2021531515.tif 000012
【図４ｅ】
2021531515.tif 000013
【図４ｆ】
2021531515.tif 000014
【図５】
2021531515.tif 000015
【図６ａ】
2021531515.tif 000016
【図６ｂ】
2021531515.tif 000017
【図６ｃ】
2021531515.tif 000018
【図６ｄ】
2021531515.tif 000019
【図６ｅ】
2021531515.tif 000020
【図６ｆ】
2021531515.tif 000021
【図７】
2021531515.tif 000022
【図８】
2021531515.tif 000023
【図９】
2021531515.tif 000024
【図１０】
2021531515.tif 000025
【図１１】
2021531515.tif 000026
【図１２】
2021531515.tif 000027
【図１３】
2021531515.tif 000028
【図１４】
2021531515.tif 000029
【図１５】
2021531515.tif 000030
【図１６】
2021531515.tif 000031
【図１７】
2021531515.tif 000032
【図１８】
2021531515.tif 000033
【図１９】
2021531515.tif 000034
【図２０】
2021531515.tif 000035
【図２１】
2021531515.tif 000036
【図２２】
2021531515.tif 000037
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
可撓性のある電気的に調整可能なレンズであって、
第１配向層及び第２配向層と、
当該レンズの光路内において前記第１及び第２配向層間に閉じ込められた液晶を有する活性層と、
前記第１配向層の上方に配置され、前記活性層の開口領域の上方に配置された第１パターン開口を有する第１電極と、
前記第２配向層の下方に配置され、前記第１電極との組合せで前記活性層内に電界を誘発するように配置された第２パターン開口を有する第２電極と、
を備え、
前記第１配向層及び前記第２配向層の少なくとも１つが、液晶部分を有するポリマー層を含み、
前記活性層内の液晶に隣接する前記層の表面の液晶成分のディレクタは、前記活性層の主表面に対して平行であり、
前記層の中央領域の液晶成分のディレクタは、前記活性層の主表面に対して直交している
ことを特徴とする可撓性のある電気的に調整可能なレンズ。
【請求項２】
前記第１及び第２パターン開口は、円形を有している
ことを特徴とする請求項１に記載の電気的に調整可能なレンズ。
【請求項３】
前記第１及び第２パターン開口は、共通の半径の円形を有している
ことを特徴とする請求項１に記載の電気的に調整可能なレンズ。
【請求項４】
前記第１配向層の上方に配置され前記第１電極から誘電材料によって分離された第１抵抗層と、
前記第２配向層の下方に配置され前記第２電極から誘電材料によって分離された第２抵抗層と、
を更に備えたことを特徴とする請求項１に記載の電気的に調整可能なレンズ。
【請求項５】
前記第１配向層と前記第２配向層との間の前記活性層内の弾性ポリマーポストのアレイ
を更に備え、
当該アレイのポストは、前記第１配向層から前記第２配向層まで延びている
ことを特徴とする請求項１に記載の電気的に調整可能なレンズ。
【請求項６】
前記層の対向表面の液晶成分のディレクタは、前記活性層の主表面に対して平行である
ことを特徴とする請求項１に記載の電気的に調整可能なレンズ。
【請求項７】
前記第１配向層及び前記第２配向層は、液晶部分を有するポリマー層を含み、
前記活性層内の液晶に隣接する前記第１配向層及び前記第２配向層の表面の液晶成分のディレクタは、前記活性層の主表面に対して平行であり、
前記第１配向層及び前記第２配向層の中央領域の液晶成分のディレクタは、前記活性層の主表面に対して直交している
ことを特徴とする請求項１に記載の電気的に調整可能なレンズ。
【請求項８】
前記第１配向層及び前記第２配向層の両方の対向表面の液晶成分のディレクタは、前記活性層の主表面に対して平行である
ことを特徴とする請求項７に記載の電気的に調整可能なレンズ。
【請求項９】
前記第１配向層と前記第２配向層との間の第３配向層と、
前記第３配向層と前記第２配向層との間に閉じ込められた液晶を有する第２活性層と、
を更に備えたことを特徴とする請求項１に記載の電気的に調整可能なレンズ。
【請求項１０】
前記第１及び第２活性層間に配置されたパッド電極
を更に備えたことを特徴とする請求項９に記載の電気的に調整可能なレンズ。
【請求項１１】
前記活性層は、１０ｍｍ未満の折り畳み半径で曲げる前の平均厚さＸと、当該曲げから戻った後の平均厚さＹと、を有し、
Ｙ＝Ｘ±１０％Ｘ
である
ことを特徴とする請求項１に記載の電気的に調整可能なレンズ。
【請求項１２】
前記第１及び第２電極に電気的に接続され、当該第１及び第２電極を亘るように調整可能デューティサイクルを有する駆動信号を適用するように構成されたドライバ
を更に備えたことを特徴とする請求項１に記載の電気的に調整可能なレンズ。
【請求項１３】
前記第１及び第２電極に電気的に接続され、当該第１及び第２電極を亘るようにパルス幅変調を用いて駆動信号を適用するように構成されたドライバ
を更に備えたことを特徴とする請求項１に記載の電気的に調整可能なレンズ。
【請求項１４】
前記第１及び第２電極に電気的に接続され、当該第１及び第２電極を亘るようにＤＣオフセットを有する駆動信号を適用するように構成されたドライバ
を更に備えたことを特徴とする請求項１に記載の電気的に調整可能なレンズ。
【請求項１５】
前記第１及び第２電極に電気的に接続され、当該第１及び第２電極を亘るように初期のより高いフィールドパワーインターバルと後続のより低いフィールドパワーインターバルとを有する駆動信号を適用するように構成されたドライバ
を更に備え、
前記より低いフィールドパワーは、前記より低いフィールドパワーインターバル中に目標のレンズ屈折力を確立するように構成されている
ことを特徴とする請求項１に記載の電気的に調整可能なレンズ。
【請求項１６】
前記第１及び第２配向層の少なくとも１つが、１０―4Ｊ／ｍ2より大きいアンカリング強度を有する
ことを特徴とする請求項１に記載の電気的に調整可能なレンズ。
【請求項１７】
前記第１及び第２配向層の少なくとも１つが、液晶部分を有すると共に１０―4Ｊ／ｍ2より大きいアンカリング強度を有するポリマー層を含む
ことを特徴とする請求項１に記載の電気的に調整可能なレンズ。
【請求項１８】
可撓性のある電気的に調整可能なレンズであって、
第１配向層及び第２配向層と、
当該レンズの光路内において前記第１及び第２配向層間に閉じ込められた液晶を有する活性層と、
前記第１配向層の上方に配置された第１電極と、
前記第２配向層の下方に配置された第２電極と、
前記第１及び第２電極に電気的に接続され、当該第１及び第２電極を亘るように調整可能デューティサイクルを有する駆動信号を適用するように構成されたドライバと、
を備え、
前記第１配向層及び前記第２配向層の少なくとも１つが、液晶部分を有するポリマー層を含み、
前記活性層内の液晶に隣接する前記層の表面の液晶成分のディレクタは、前記活性層の主表面に対して平行であり、
前記層の中央領域の液晶成分のディレクタは、前記活性層の主表面に対して直交している
ことを特徴とする可撓性のある電気的に調整可能なレンズ。
【請求項１９】
前記第１及び第２配向層の少なくとも１つが、１０―4Ｊ／ｍ2より大きいアンカリング強度を有する
ことを特徴とする請求項１８に記載の電気的に調整可能なレンズ。
【請求項２０】
可撓性のある電気的に調整可能なレンズであって、
第１配向層及び第２配向層と、
当該レンズの光路内において前記第１及び第２配向層間に閉じ込められた液晶を有する活性層と、
前記第１配向層の上方に配置された第１電極と、
前記第２配向層の下方に配置された第２電極と、
前記第１及び第２電極に電気的に接続され、当該第１及び第２電極を亘るようにＤＣオフセットを有する駆動信号を適用するように構成されたドライバと、
を備え、
前記第１配向層及び前記第２配向層の少なくとも１つが、液晶部分を有するポリマー層を含み、
前記活性層内の液晶に隣接する前記層の表面の液晶成分のディレクタは、前記活性層の主表面に対して平行であり、
前記層の中央領域の液晶成分のディレクタは、前記活性層の主表面に対して直交している
ことを特徴とする可撓性のある電気的に調整可能なレンズ。
【請求項２１】
前記第１及び第２配向層の少なくとも１つが、１０―4Ｊ／ｍ2より大きいアンカリング強度を有する
ことを特徴とする請求項２０に記載の電気的に調整可能なレンズ。
【請求項２２】
可撓性のある電気的に調整可能なレンズであって、
第１配向層及び第２配向層と、
当該レンズの光路内において前記第１及び第２配向層間に閉じ込められた液晶を有する活性層と、
前記第１配向層の上方に配置された第１電極と、
前記第２配向層の下方に配置された第２電極と、
前記第１及び第２電極に電気的に接続され、当該第１及び第２電極を亘るように初期のより高いフィールドパワーインターバルと後続のより低いフィールドパワーインターバルとを有する駆動信号を適用するように構成されたドライバと、
備え、
前記より低いフィールドパワーは、前記より低いフィールドパワーインターバル中に目標のレンズ屈折力を確立するように構成されており、
前記第１配向層及び前記第２配向層の少なくとも１つが、液晶部分を有するポリマー層を含み、
前記活性層内の液晶に隣接する前記層の表面の液晶成分のディレクタは、前記活性層の主表面に対して平行であり、
前記層の中央領域の液晶成分のディレクタは、前記活性層の主表面に対して直交している
ことを特徴とする可撓性のある電気的に調整可能なレンズ。
【請求項２３】
前記第１及び第２配向層の少なくとも１つが、１０―4Ｊ／ｍ2より大きいアンカリング強度を有する
ことを特徴とする請求項２２に記載の電気的に調整可能なレンズ。
【請求項２４】
可撓性のある電気的に調整可能なレンズであって、
第１配向層及び第２配向層と、
当該レンズの光路内において前記第１及び第２配向層間に閉じ込められた液晶を有する活性層と、
前記第１配向層の上方に配置された第１電極と、
前記第２配向層の下方に配置された第２電極と、
前記第１及び第２電極に電気的に接続され、当該第１及び第２電極を亘るようにパルス幅変調を用いて駆動信号を適用するように構成されたドライバと、
を備えたことを特徴とする可撓性のある電気的に調整可能なレンズ。
【請求項２５】
前記第１及び第２配向層の少なくとも１つが、１０―4Ｊ／ｍ2より大きいアンカリング強度を有する
ことを特徴とする請求項２４に記載の電気的に調整可能なレンズ。
【請求項２６】
電気的に調整可能なレンズであって、
第１配向層、第２配向層、第３配向層及び第４配向層と、
当該レンズの光路内において前記第１及び第２配向層間に閉じ込められた液晶を有する第１活性層と、
当該レンズの前記光路内において前記第３及び第４配向層間に閉じ込められた液晶を有する第２活性層と、
前記第１配向層の上方に配置され、前記第１活性層の開口領域と整列して配置された第１パターン開口を有する第１電極と、
前記第４配向層の下方に配置され、前記第２活性層の開口領域と整列して配置された第２パターン開口を有する第２電極と、
前記第１及び第２活性層間に配置されたパッド電極と、
前記第１及び第２電極並びに前記パッド電極に電気的に接続され、前記第１電極に第１駆動信号を適用し前記第２電極に第２駆動信号を適用し前記パッド電極にＤＣ基準電圧を適用するように構成されたドライバであって、前記第１及び第２駆動信号は前記パッド電極との組合せで前記第１及び第２活性層内に電界を誘発して当該レンズの光学的屈折力を調整するように構成されている、ドライバと、
を備えたことを特徴とする電気的に調整可能なレンズ。
【請求項２７】
前記第１及び第２パターン開口は、円形を有している
ことを特徴とする請求項２６に記載の電気的に調整可能なレンズ。
【請求項２８】
前記第１及び第２パターン開口は、共通の半径の円形を有している
ことを特徴とする請求項２６に記載の電気的に調整可能なレンズ。
【請求項２９】
前記第１配向層の上方に配置された第１抵抗層と、
前記第４配向層の下方に配置された第２抵抗層と、
を更に備えたことを特徴とする請求項２６に記載の電気的に調整可能なレンズ。
【請求項３０】
前記第１配向層と前記第２配向層との間の前記第１活性層内の弾性ポリマーポストの第１アレイを更に備え、当該アレイのポストは、前記第１配向層から前記第２配向層まで延びており、
前記第３配向層と前記第４配向層との間の前記第２活性層内の弾性ポリマーポストの第２アレイを更に備え、当該アレイのポストは、前記第３配向層から前記第４配向層まで延びている
ことを特徴とする請求項２６に記載の電気的に調整可能なレンズ。
【請求項３１】
前記第１配向層及び前記第４配向層の少なくとも１つが、液晶部分を有するポリマー層を含む
ことを特徴とする請求項２６に記載の電気的に調整可能なレンズ。
【請求項３２】
前記第１活性層は、１０ｍｍ未満の折り畳み半径で曲げる前の平均厚さＸと、当該曲げから戻った後の平均厚さＹと、を有し、
Ｙ＝Ｘ±１０％Ｘ
である
ことを特徴とする請求項２６に記載の電気的に調整可能なレンズ。
【請求項３３】
前記第１及び第２駆動信号は、ＤＣオフセット、周波数、デューティサイクル及び大きさの少なくとも１つにおいて異なっている
ことを特徴とする請求項２６に記載の電気的に調整可能なレンズ。
【請求項３４】
前記ドライバは、パルス幅変調を用いて前記第１及び第２駆動信号を提供するように構成されている
ことを特徴とする請求項２６に記載の電気的に調整可能なレンズ。
【請求項３５】
前記第１駆動信号及び前記第２駆動信号の少なくとも１つは、初期のより高いフィールドパワーインターバルと後続のより低いフィールドパワーインターバルとを含んでおり、
前記より低いフィールドパワーは、前記より低いフィールドパワーインターバル中に目標のレンズ屈折力を確立するように構成されている
ことを特徴とする請求項２６に記載の電気的に調整可能なレンズ。
【請求項３６】
前記第１、第２、第３及び第４配向層の少なくとも１つが、１０―4Ｊ／ｍ2より大きいアンカリング強度を有する
ことを特徴とする請求項２６に記載の電気的に調整可能なレンズ。
【請求項３７】
前記第１、第２、第３及び第４配向層の少なくとも１つが、液晶部分を有すると共に１０―4Ｊ／ｍ2より大きいアンカリング強度を有するポリマー層を含む
ことを特徴とする請求項２６に記載の電気的に調整可能なレンズ。
【国際調査報告】
2021531515.tif 000038
2021531515.tif 000039
2021531515.tif 000040
2021531515.tif 000041
2021531515.tif 000042